(57)【要約】【課題】端末識別情報を確実に交換できるようにするものである。【解決手段】無線通信インターフェース２０２は、ステップＳ４３２で、認証要求の一部に問い合わせ信号に対応する初期値を埋め込み、基地局１０２の無線通信インターフェース３０２に送信する。無線通信インターフェース３０２は、ステップＳ４５２で、問い合わせ信号に対応する初期値を抽出し、予め設定されている記憶値と一致するか否かを判定するとともに、ステップＳ４５３で、返答信号に対応する初期値を制御信号Ａｃｋの一部に埋め込み、端末装置１０１の無線通信インターフェース２０２に送信する。無線通信インターフェース２０２は、ステップＳ４３３で、制御信号Ａｃｋから返答信号に対応する初期値を抽出するとともに、予め設定されている記憶値と一致するか否かを判定する。本発明は、自己同期型のスクランブラおよびデスクランブラを有する通信装置に適用することができる。【選択図】      図９
2004363676.tif 000002
【特許請求の範囲】
【請求項１】
自己同期型のスクランブラを有し、前記スクランブラに設定される同期用の基準値をフレーム内の所定の位置にもつ情報を送信する第１の情報処理装置と、自己同期型のデスクランブラを有し、前記第１の情報処理装置から前記情報を受信する第２の情報処理装置からなる通信システムにおいて、
前記第１の情報処理装置は、
前記スクランブラに設定される同期用の前記基準値をフレーム内の所定の位置に格納する格納手段と、
前記格納手段により格納された前記基準値を含む前記情報を送信する送信手段とを備え、
前記第２の情報処理装置は、
前記送信手段により送信された前記情報を受信する受信手段と、
前記受信手段により受信された前記情報から前記基準値を抽出する抽出手段と、
前記抽出手段により抽出された前記基準値が、予め記憶されている記憶値と一致するか否かを判定する判定手段と
を備えることを特徴とする通信システム。
【請求項２】
自己同期型のスクランブラを有し、前記スクランブラに設定される同期用の基準値をフレーム内の所定の位置にもつ情報を送信する第１の情報処理装置と、自己同期型のデスクランブラを有し、前記第１の情報処理装置から前記情報を受信する第２の情報処理装置からなる通信システムの通信方法において、
前記第１の情報処理装置は、
前記スクランブラに設定される同期用の前記基準値をフレーム内の所定の位置に格納し、
格納された前記基準値を含む前記情報を送信し、
前記第２の情報処理装置は、
前記第１の情報処理装置により送信された前記情報を受信し、
受信した前記情報から前記基準値を抽出し、
抽出した前記基準値が、予め記憶されている記憶値と一致するか否かを判定する
ことを特徴とする通信方法。
【請求項３】
自己同期型のスクランブラおよびデスクランブラを有し、前記スクランブラおよび前記デスクランブラに設定される同期用の基準値をフレーム内の所定の位置にもつ情報を送信する情報処理装置において、
前記スクランブラに設定される同期用の第１の基準値をフレーム内の所定の位置に格納する格納手段と、
前記格納手段により格納された前記第１の基準値を含む第１の情報を他の情報処理装置に送信する送信手段と、
前記送信手段により送信された前記第１の情報に基づいて前記他の情報処理装置から送信される第２の情報を受信する受信手段と、
前記受信手段により受信された前記第２の情報のフレーム内の所定の位置に格納されている、前記デスクランブラに設定される同期用の第２の基準値を抽出する抽出手段と、
前記抽出手段により抽出された前記第２の基準値が、予め記憶されている記憶値と一致するか否かを判定する判定手段と
を備えることを特徴とする情報処理装置。
【請求項４】
前記格納手段は、スクランブラであり、
前記スクランブラは、前記第１の基準値に基づいて前記情報をスクランブルすることにより、前記第１の情報のフレーム内の所定の位置に、前記スクランブラに設定される同期用の第１の基準値を格納する
ことを特徴とする請求項３に記載の情報処理装置。
【請求項５】
前記判定手段は、前記第２の基準値が前記記憶値と一致するか否かを判定することにより、相互認証を行う
ことを特徴とする請求項３に記載の情報処理装置。
【請求項６】
前記第１の基準値と前記第２の基準値は同一の値である
ことを特徴とする請求項３に記載の情報処理装置。
【請求項７】
前記受信手段により受信された前記第２の情報は、前記第１の情報を受信したことを表す情報である
ことを特徴とする請求項３に記載の情報処理装置。
【請求項８】
前記第１の情報は、データ通信に先立ち行われる認証要求、データ通信に先立ち行われる認証応答、アソシエーションの要求、またはアソシエーション応答のいずれかである
ことを特徴とする請求項３に記載の情報処理装置。
【請求項９】
自己同期型のスクランブラおよびデスクランブラを有し、前記スクランブラおよび前記デスクランブラに設定される同期用の基準値をフレーム内の所定の位置にもつ情報を送信する情報処理装置の情報処理方法において、前記スクランブラに設定される同期用の第１の基準値をフレーム内の所定の位置に格納する格納ステップと、
前記格納ステップの処理により格納された前記第１の基準値を含む第１の情報を他の情報処理装置に送信する送信ステップと、
前記送信ステップの処理により送信された前記第１の情報に基づいて前記他の情報処理装置から送信される第２の情報を受信する受信ステップと、
前記受信ステップの処理により受信された前記第２の情報のフレーム内の所定の位置に格納されている、前記デスクランブラに設定される同期用の第２の基準値を抽出する抽出ステップと、
前記抽出ステップの処理により抽出された前記第２の基準値が、予め記憶されている記憶値と一致するか否かを判定する判定ステップと
を含むことを特徴とする情報処理方法。
【請求項１０】
自己同期型のスクランブラおよびデスクランブラを有し、前記スクランブラおよび前記デスクランブラに設定される同期用の基準値をフレーム内の所定の位置にもつ情報を送信する情報処理装置を制御するプログラムであって、
前記スクランブラに設定される同期用の第１の基準値をフレーム内の所定の位置に格納する格納ステップと、
前記格納ステップの処理により格納された前記第１の基準値を含む第１の情報を他の情報処理装置に送信する送信ステップと、
前記送信ステップの処理により送信された前記第１の情報に基づいて前記他の情報処理装置から送信される第２の情報を受信する受信ステップと、
前記受信ステップの処理により受信された前記第２の情報のフレーム内の所定の位置に格納されている、前記デスクランブラに設定される同期用の第２の基準値を抽出する抽出ステップと、
前記抽出ステップの処理により抽出された前記第２の基準値が、予め記憶されている記憶値と一致するか否かを判定する判定ステップと
を含む処理をコンピュータに実行させることを特徴とするプログラム。
【請求項１１】
自己同期型のデスクランブラを有し、前記デスクランブラに設定される同期用の基準値をフレーム内の所定の位置にもつ情報を受信する情報処理装置において、
他の情報処理装置から第１の情報を受信する受信手段と、
前記受信手段により受信された前記第１の情報のフレーム内の所定の位置に格納されている、前記デスクランブラに設定される同期用の第１の基準値を抽出する抽出手段と、
前記抽出手段により抽出された第１の基準値が、予め記憶されている基準値と一致するか否かを判定する判定手段と
を備えることを特徴とする情報処理装置。
【請求項１２】
前記判定手段により、前記第１の基準値が前記記憶値と一致すると判定された場合、スクランブラに設定される同期用の第２の基準値をフレーム内の所定の位置に格納する格納手段と、
前記格納手段により格納された前記第２の基準値を含む第２の情報を前記他の情報処理装置に送信する送信手段と
をさらに備えることを特徴とする請求項１１に記載の情報処理装置。
【請求項１３】
前記格納手段は、スクランブラであり、
前記スクランブラは、前記第２の基準値に基づいて前記情報をスクランブルすることにより、前記第２の情報のフレーム内の所定の位置に、前記スクランブラに設定される同期用の第１の基準値を格納する
ことを特徴とする請求項１２に記載の情報処理装置。
【請求項１４】
前記判定手段は、前記第２の基準値が前記記憶値と一致するか否かを判定することにより、相互認証を行う
ことを特徴とする請求項１１に記載の情報処理装置。
【請求項１５】
前記第１の基準値と前記第２の基準値は同一の値である
ことを特徴とする請求項１２に記載の情報処理装置。
【請求項１６】
前記送信手段により送信された前記第２の情報は、前記第１の情報を受信したことを表す情報である
ことを特徴とする請求項１２に記載の情報処理装置。
【請求項１７】
前記第１の情報は、データ通信に先立ち行われる認証要求、データ通信に先立ち行われる認証応答、アソシエーションの要求、またはアソシエーション応答のいずれかである
ことを特徴とする請求項１１に記載の情報処理装置。
【請求項１８】
自己同期型のデスクランブラを有し、前記デスクランブラに設定される同期用の基準値をフレーム内の所定の位置にもつ情報を受信する情報処理装置の情報処理方法において、
他の情報処理装置から第１の情報を受信する受信ステップと、
前記受信ステップの処理により受信された前記第１の情報のフレーム内の所定の位置に格納されている、前記デスクランブラに設定される同期用の第１の基準値を抽出する抽出ステップと、
前記抽出ステップの処理により抽出された第１の基準値が、予め記憶されている基準値と一致するか否かを判定する判定ステップと
を含むことを特徴とする情報処理方法。
【請求項１９】
自己同期型のデスクランブラを有し、前記デスクランブラに設定される同期用の基準値をフレーム内の所定の位置にもつ情報を受信する情報処理装置を制御するプログラムであって、
他の情報処理装置から第１の情報を受信する受信ステップと、
前記受信ステップの処理により受信された前記第１の情報のフレーム内の所定の位置に格納されている、前記デスクランブラに設定される同期用の第１の基準値を抽出する抽出ステップと、
前記抽出ステップの処理により抽出された第１の基準値が、予め記憶されている基準値と一致するか否かを判定する判定ステップと
を含む処理をコンピュータに実行させることを特徴とするプログラム。
【発明の詳細な説明】
【０００１】
【発明の属する技術分野】
本発明は、通信システムおよび通信方法、情報処理装置および情報処理方法、並びにプログラムに関し、特に、容易に、かつ、確実に通信ができるようにした通信システムおよび方法、情報処理装置および情報処理方法、並びにプログラムに関する。
【０００２】
【従来の技術】
通信端末同士が相互に接続を行う場合、データ通信に先立ち認証とアソシエーションの手続を行うのが一般的である。接続を要求する通信端末は、認証要求を出力し、その要求を受け取った通信端末は、接続を許可するか否かの返信を行う。接続を要求する通信端末は、認証許可を得た場合、次に、アソシエーション要求を出力し、その要求を受け取った通信端末は、帰属を許可するか否かの返信を行う。一連の登録作業が終わったとき、本来のデータ通信が可能となる。
【０００３】
この一連の登録作業では交換されない端末識別情報（接続相手が特定の端末であるかどうかを示す情報）は、データ通信が確立した後、データ通信上で交換される。このとき、一方の端末からの問い合わせに対し、問い合わせを受けた端末がその問い合わせ自体を理解できるか否かが不明である場合もあるので、問い合わせる端末は、データ通信上で問い合わせ信号を繰り返し発行し、所定の試行回数内に返答がなければ特定端末でないと判断する。
【０００４】
次に、図１を参照して、従来の登録手順について説明する。この処理では、端末装置１と基地局２の間で通信が行われる。
【０００５】
登録を行いたい端末装置１の上位アプリケーション１１は、ステップＳ１において、認証要求を発行すると、ステップＳ３１において、無線通信インターフェース１２は、この認証要求を受信し、ステップＳ３２において、認証要求を無線通信により、基地局２の無線通信インターフェース２２に送信する。基地局２の無線通信インターフェース２２は、ステップＳ５１において、これを受信し、ステップＳ５２において、受信した認証要求を基地局２の上位アプリケーション２１に転送するとともに、ステップＳ５３において、端末装置１の無線通信インターフェース１２に、端末装置１から情報（認証要求）を受信したことを通知する（表す）ための制御信号Ａｃｋ（ＡＣＫｎｏｗｌｅｄｇｅｍｅｎｔ）を送信する。端末装置１の無線通信インターフェース１２は、ステップＳ３３においてこれを受信する。
【０００６】
ステップＳ８１において、基地局２の上位アプリケーション２１は、ステップＳ５２で無線通信インターフェース２２が送信した認証要求を受信すると、この認証要求に対して、認証の可否を判定する。そして、上位アプリケーション２１は、認証の可否の判定結果を通知するための認証応答（認証通知）を生成し、ステップＳ８２において、これを無線通信インターフェース２２に送信する。無線通信インターフェース２２は、ステップＳ５４においてこれを受信し、ステップＳ５５において、この認証応答を、端末装置１の無線通信インターフェース１２に送信する（無線通信により送信する）。無線通信インターフェース２２は、ステップＳ５６で制御信号Ａｃｋを受信する。
【０００７】
無線通信インターフェース１２は、ステップＳ３４において、認証通知を受信すると、ステップＳ３５において、認証通知を端末装置１の上位アプリケーション１１に送信するとともに、ステップＳ３６において、認証通知（応答）を受け取ったことに対する制御信号Ａｃｋ（すなわち、情報を受け取ったことを通知するための制御信号）を基地局２の無線通信インターフェース２２に送信する。
【０００８】
ステップＳ３５で、無線通信インターフェース１２により送信された認証通知は、ステップＳ２において、端末装置１の上位アプリケーション１１により受信される。端末装置１の上位アプリケーション１１は、認証通知（認証応答）を参照し、認証が受けられたか否かを判定する。認証が受けられたと判定された場合、ステップＳ３において、端末装置１の上位アプリケーション１１は、アソシエーション要求を発行し、無線通信インターフェース１２に送信する。無線通信インターフェース１２は、ステップＳ３７においてこれを受信し、ステップＳ３８において、アソシエーション要求を基地局２の無線通信インターフェース２２に送信する。
【０００９】
基地局２の無線通信インターフェース２２は、ステップＳ５７においてアソシエーション要求を受信し、ステップＳ５８において、アソシエーション要求を基地局２の上位アプリケーション２１に出力するとともに、ステップＳ５９において、制御信号Ａｃｋを端末装置１の無線通信インターフェース１２に送信する。無線通信インターフェース１２は、ステップＳ３９において、無線通信インターフェース２２からの制御信号Ａｃｋを受信する。
【００１０】
基地局２の上位アプリケーション２１は、ステップＳ８３において、無線通信インターフェース２２からアソシエーション要求を受信すると、要求を許可するか否かを判定する。ステップＳ８４において、上位アプリケーション２１は、アソシエーション要求に対して、アソシエーションの可否を通知するアソシエーション応答（アソシエーション通知）を生成し、無線通信インターフェース２２に送信する。無線通信インターフェース２２は、ステップＳ６０において、アソシエーション応答を受け取り、ステップＳ６１において、アソシエーション応答を端末装置１の無線通信インターフェース１２に送信する。
【００１１】
端末装置１の無線通信インターフェース１２は、ステップＳ４０においてこのアソシエーション通知を受け取り、ステップＳ４１において、アソシエーション通知を端末装置１の上位アプリケーション１１に供給するとともに、ステップＳ４２において、基地局２の無線通信インターフェース２２に対して、制御信号Ａｃｋを送信する。基地局２の無線通信インターフェース２２は、制御信号Ａｃｋを受信する。
【００１２】
このように、図１の処理により、一連の登録作業が終了した後、データ通信が行われる。登録手順でやり取りされなかった特別な情報（例えば、特定の端末であるか否かを判定する端末識別情報）は、このデータ通信上で交換される。この図１の処理の後に行われる処理の例が、図２、図３、または図４に示されている。
【００１３】
図２は、従来の特定端末問い合わせ手順の例を示している。図２の例では、問い合わせを受けた端末（いまの場合、端末装置１）がその問い合わせ内容を理解できるものとされている。
【００１４】
ステップＳ１０１において、基地局２の上位アプリケーション２１は、特定端末を問い合わせる信号を無線通信インターフェース２２に送信する。基地局２の無線通信インターフェース２２は、ステップＳ１３１において、これを受信するとともに、ステップＳ１３２において、特定端末問い合わせ信号を（データ通信により）端末装置１の無線通信インターフェース１２に送信する。
【００１５】
端末装置１の無線通信インターフェース１２は、ステップＳ１５１において、無線通信インターフェース２２から特定端末問い合わせ信号を受信すると、ステップＳ１５２において、特定端末問い合わせ信号を端末装置１の上位アプリケーション１１に送信するとともに、ステップＳ１５３において、制御信号Ａｃｋを基地局２の無線通信インターフェース２２に送信する。無線通信インターフェース２２は、ステップＳ１３３でこれを受信する。
【００１６】
端末装置１の上位アプリケーション１１は、ステップＳ１８１において特定端末問い合わせ信号を受信すると、この信号に基づく処理を実行し、特定端末返答信号を生成する。上位アプリケーション１１は、ステップＳ１８２において、生成した特定端末返答信号を、端末装置１の無線通信インターフェース１２に送信する。ステップＳ１５４において、無線通信インターフェース１２はこれを受信すると、ステップＳ１５５で、基地局２の無線通信インターフェース２２に転送する。
【００１７】
基地局２の無線通信インターフェース２２は、ステップＳ１３４において、特定端末返答信号を受信する。無線通信インターフェース２２は、ステップＳ１３５において、特定端末返答信号を基地局２の上位アプリケーション２１に送信するとともに、情報を受け取ったことを通知するための制御信号Ａｃｋを端末装置１の無線通信インターフェース１２に送信する。無線通信インターフェース１２は、ステップＳ１５６でこれを受信する。基地局２の上位アプリケーション２１は、ステップＳ１０２で、特定端末返答信号を受信することにより、接続相手（端末装置１）が、特定端末であることを確認できる。
【００１８】
次に、図３を参照して、図１の処理の後に実行される従来の他の特定端末問い合わせ手順を説明する。図３の例では、問い合わせを受けた端末（いまの場合、端末装置１）がその問い合わせ内容を理解できないものとされている。
【００１９】
図３のステップＳ２０１，ステップＳ２３１乃至ステップＳ２３３，並びに、ステップＳ２５１乃至ステップＳ２５３の処理は、上述した図２のステップＳ１０１，ステップＳ１３１乃至ステップＳ１３３，並びにステップＳ１５１乃至ステップＳ１５３の処理とそれぞれ同様の処理であるので、その説明は省略する。
【００２０】
端末装置１の無線通信インターフェース１２は、ステップＳ２５２において、特定端末問い合わせ信号を端末装置１の上位アプリケーション１１に送信すると、端末装置１の上位アプリケーション１１は、ステップＳ２８１において特定端末問い合わせ信号を受信する。端末装置１の上位アプリケーション１１は、いまの場合、問い合わせ内容が理解できないため、所望の信号（図２における特定端末返答信号）を返信することはできない。そこで、ステップＳ２８２において、問い合わせを受けた端末装置１の上位アプリケーション１１は、問い合わせが理解できないことを示すエラー通知（コマンドエラー通知）を送信する。
【００２１】
端末装置１の無線通信インターフェース１２は、ステップＳ２５４において、このエラー通知を受信すると、ステップＳ２５５において、基地局２の無線通信インターフェース２２に送信する。基地局２の無線通信インターフェース２２は、ステップＳ２３４において、エラー通知を受信すると、ステップＳ２３５において、エラー通知を基地局２の上位アプリケーション２１に送信するとともに、ステップＳ２３６において、情報（いまの場合、エラー通知）を受け取ったことを通知するための制御信号Ａｃｋを端末装置１の無線通信インターフェース１２に送信する。無線通信インターフェース１２は、ステップＳ２５６でこれを受信する。基地局２の上位アプリケーション２１は、ステップＳ２０２でエラー通知を受信することにより、接続相手（端末装置１）が、特定端末ではないことを確認する。
【００２２】
図３の例では、端末装置１の上位アプリケーション１１がステップＳ２８１で受信した特定端末問い合わせ信号が理解できない場合に、エラー信号を送信するものとしたが、上位アプリケーション１１が特定端末問い合わせ信号が理解できない場合に、何も送信しないこともある。その場合の処理を、図４のアローチャートを参照して説明する。
【００２３】
図４のアローチャートにおいて、ステップＳ３０１、ステップＳ３３１乃至ステップＳ３３３、ステップＳ３５１乃至ステップＳ３５３、並びにステップＳ３８１の処理は、図３のステップＳ２０１、ステップＳ２３１乃至ステップＳ２３３、ステップＳ２５１乃至ステップＳ２５３、並びにステップＳ２８１の処理とそれぞれ同様の処理であるので、その説明は省略する。
【００２４】
ステップＳ３８１において、端末装置１の上位アプリケーション１１は、特定端末問い合わせ信号を受信する。端末装置１の上位アプリケーション１１は、この特定端末問い合わせ信号を理解できないので、受信した問い合わせ信号に対して、何も応答しない。
【００２５】
基地局２の上位アプリケーション２１は、問い合わせを行ってから（ステップＳ３０１で、特定端末問い合わせ信号を送信してから）所定の時間が経過した場合、ステップＳ３０２において、受信待ちをタイムアウトとし、接続相手（端末装置１）が特定端末でないことを知る。
【００２６】
図１乃至図４の処理において、無線通信インターフェース１２と無線通信インターフェース２２は、情報を授受する場合、情報をスクランブルまたはデスクランブルする。スクランブルとデスクランブルには、スクランブルパターンとして、一般的には、汎用的なＰＮ系列が用いられることが多い。例えば、特許文献１には、ＰＮ系列を用いたスクランブル／デスクランブル方式に係る技術が記載されている。
【００２７】
【特許文献１】
特開平８−２０４６１３号公報
【００２８】
【発明が解決しようとする課題】
上述したように、既存の一連の登録作業の情報に含まれていない端末識別情報を収集するためには、登録する手順が確立した後（図１の処理の後）、データ通信上で情報交換を行う必要がある。
【００２９】
しかしながら、この情報交換は、本来のデータ通信のデータレートを使用しての通信となるので、本来のデータ通信のレートを下げてしまうという課題があった。
【００３０】
また、データ通信上の情報交換を行った場合、その情報交換に対応していない端末においてデータエラーや不具合が生じることがある。
【００３１】
さらに、情報交換をデータ通信上で行う必要があるので、各上位アプリケーション（上位アプリケーション１１または上位アプリケーション２１）が情報交換機能を有する必要が生じる。
【００３２】
このように、既存の一連の登録作業の情報に含まれていない端末識別情報を収集するのは、通信システム全体に様々な影響を与えてしまう。
【００３３】
本発明はこのような状況に鑑みてなされたものであり、端末の登録に所望の端末識別情報の交換が含まれていない場合においても、データ通信のデータレートを下げることなく、対応する端末との間で確実に端末識別情報を交換できるようにするものである。
【００３４】
【課題を解決するための手段】
本発明の通信システムは、自己同期型のスクランブラを有し、スクランブラに設定される同期用の基準値をフレーム内の所定の位置にもつ情報を送信する第１の情報処理装置と、自己同期型のデスクランブラを有し、第１の情報処理装置から情報を受信する第２の情報処理装置からなる通信システムであって、第１の情報処理装置は、スクランブラに設定される同期用の基準値をフレーム内の所定の位置に格納する格納手段と、格納手段により格納された基準値を含む情報を送信する送信手段とを備え、第２の情報処理装置は、送信手段により送信された情報を受信する受信手段と、受信手段により受信された情報から基準値を抽出する抽出手段と、抽出手段により抽出された基準値が、予め記憶されている記憶値と一致するか否かを判定する判定手段とを備えることを特徴とする。
【００３５】
本発明の通信方法は、自己同期型のスクランブラを有し、スクランブラに設定される同期用の基準値をフレーム内の所定の位置にもつ情報を送信する第１の情報処理装置と、自己同期型のデスクランブラを有し、第１の情報処理装置から情報を受信する第２の情報処理装置からなる通信システムの通信方法であって、第１の情報処理装置は、スクランブラに設定される同期用の基準値をフレーム内の所定の位置に格納し、格納された基準値を含む情報を送信し、第２の情報処理装置は、第１の情報処理装置により送信された情報を受信し、受信した情報から基準値を抽出し、抽出した基準値が、予め記憶されている記憶値と一致するか否かを判定することを特徴とする。
【００３６】
本発明の第１の情報処理装置は、自己同期型のスクランブラおよびデスクランブラを有し、スクランブラおよびデスクランブラに設定される同期用の基準値をフレーム内の所定の位置にもつ情報を送信する情報処理装置であって、スクランブラに設定される同期用の第１の基準値をフレーム内の所定の位置に格納する格納手段と、格納手段により格納された第１の基準値を含む第１の情報を他の情報処理装置に送信する送信手段と、送信手段により送信された第１の情報に基づいて他の情報処理装置から送信される第２の情報を受信する受信手段と、受信手段により受信された第２の情報のフレーム内の所定の位置に格納されている、デスクランブラに設定される同期用の第２の基準値を抽出する抽出手段と、抽出手段により抽出された第２の基準値が、予め記憶されている記憶値と一致するか否かを判定する判定手段とを備えることを特徴とする。
【００３７】
前記格納手段は、スクランブラであり、スクランブラは、第１の基準値に基づいて情報をスクランブルすることにより、第１の情報のフレーム内の所定の位置に、スクランブラに設定される同期用の第１の基準値を格納するようにすることができる。
【００３８】
前記判定手段は、第２の基準値が記憶値と一致するか否かを判定することにより、相互認証を行うようにすることができる。
【００３９】
前記第１の基準値と第２の基準値は同一の値であるようにすることができる。
【００４０】
前記受信手段により受信された第２の情報は、第１の情報を受信したことを表す情報であるようにすることができる。
【００４１】
前記第１の情報は、データ通信に先立ち行われる認証要求、データ通信に先立ち行われる認証応答、アソシエーションの要求、またはアソシエーション応答のいずれかであるようにすることができる。
【００４２】
本発明の第１の情報処理方法は、スクランブラに設定される同期用の第１の基準値をフレーム内の所定の位置に格納する格納ステップと、格納ステップの処理により格納された第１の基準値を含む第１の情報を他の情報処理装置に送信する送信ステップと、送信ステップの処理により送信された第１の情報に基づいて他の情報処理装置から送信される第２の情報を受信する受信ステップと、受信ステップの処理により受信された第２の情報のフレーム内の所定の位置に格納されている、デスクランブラに設定される同期用の第２の基準値を抽出する抽出ステップと、抽出ステップの処理により抽出された第２の基準値が、予め記憶されている記憶値と一致するか否かを判定する判定ステップとを含むことを特徴とする。
【００４３】
本発明の第１のプログラムは、スクランブラに設定される同期用の第１の基準値をフレーム内の所定の位置に格納する格納ステップと、格納ステップの処理により格納された第１の基準値を含む第１の情報を他の情報処理装置に送信する送信ステップと、送信ステップの処理により送信された第１の情報に基づいて他の情報処理装置から送信される第２の情報を受信する受信ステップと、受信ステップの処理により受信された第２の情報のフレーム内の所定の位置に格納されている、デスクランブラに設定される同期用の第２の基準値を抽出する抽出ステップと、抽出ステップの処理により抽出された第２の基準値が、予め記憶されている記憶値と一致するか否かを判定する判定ステップとを含む処理をコンピュータに実行させることを特徴とする。
【００４４】
本発明の第２の情報処理装置は、他の情報処理装置から第１の情報を受信する受信手段と、受信手段により受信された第１の情報のフレーム内の所定の位置に格納されている、デスクランブラに設定される同期用の第１の基準値を抽出する抽出手段と、抽出手段により抽出された第１の基準値が、予め記憶されている基準値と一致するか否かを判定する判定手段とを備えることを特徴とする。
【００４５】
前記判定手段により、第１の基準値が記憶値と一致すると判定された場合、スクランブラに設定される同期用の第２の基準値をフレーム内の所定の位置に格納する格納手段と、格納手段により格納された第２の基準値を含む第２の情報を他の情報処理装置に送信する送信手段とをさらに備えるようにすることができる。
【００４６】
前記格納手段は、スクランブラであり、スクランブラは、第２の基準値に基づいて情報をスクランブルすることにより、第２の情報のフレーム内の所定の位置に、スクランブラに設定される同期用の第１の基準値を格納するようにすることができる。
【００４７】
前記判定手段は、第２の基準値が記憶値と一致するか否かを判定することにより、相互認証を行うようにすることができる。
【００４８】
前記第１の基準値と第２の基準値は同一の値であるようにすることができる。
【００４９】
前記送信手段により送信された第２の情報は、第１の情報を受信したことを表す情報であるようにすることができる。
【００５０】
前記第１の情報は、データ通信に先立ち行われる認証要求、データ通信に先立ち行われる認証応答、アソシエーションの要求、またはアソシエーション応答のいずれかであるようにすることができる。
【００５１】
本発明の第２の情報処理方法は、他の情報処理装置から第１の情報を受信する受信ステップと、受信ステップの処理により受信された第１の情報のフレーム内の所定の位置に格納されている、デスクランブラに設定される同期用の第１の基準値を抽出する抽出ステップと、抽出ステップの処理により抽出された第１の基準値が、予め記憶されている基準値と一致するか否かを判定する判定ステップとを含むことを特徴とする。
【００５２】
本発明の第２のプログラムは、他の情報処理装置から第１の情報を受信する受信ステップと、受信ステップの処理により受信された第１の情報のフレーム内の所定の位置に格納されている、デスクランブラに設定される同期用の第１の基準値を抽出する抽出ステップと、抽出ステップの処理により抽出された第１の基準値が、予め記憶されている基準値と一致するか否かを判定する判定ステップとを含む処理をコンピュータに実行させることを特徴とする。
【００５３】
本発明の通信システムおよび通信方法においては、第１の情報処理装置で、スクランブラに設定される同期用の基準値がフレーム内の所定の位置に格納され、格納された基準値を含む情報が送信される。そして、第２の情報処理装置で、情報が受信され、基準値が抽出され、基準値が、予め記憶されている記憶値と一致するか否かが判定される。
【００５４】
本発明の第１の情報処理装置および第１の情報処理方法、並びに第１のプログラムにおいては、スクランブラに設定される同期用の第１の基準値がフレーム内の所定の位置に格納され、第１の基準値を含む第１の情報が他の情報処理装置に送信され、送信された第１の情報に基づいて他の情報処理装置から送信される第２の情報が受信され、第２の情報のフレーム内の所定の位置に格納されている、デスクランブラに設定される同期用の第２の基準値が抽出され、第２の基準値が、予め記憶されている記憶値と一致するか否かが判定される。
【００５５】
本発明の第２の情報処理装置および第２の情報処理方法、並びにプログラムにおいては、他の情報処理装置から第１の情報が受信され、受信された第１の情報のフレーム内の所定の位置に格納されている、デスクランブラに設定される同期用の第１の基準値が抽出され、第１の基準値が、予め記憶されている基準値と一致するか否かが判定される。
【００５６】
【発明の実施の形態】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００５７】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００５８】
請求項１に記載の通信システムは、自己同期型のスクランブラ（例えば、図６のスクランブラ２２２）を有し、前記スクランブラに設定される同期用の基準値（例えば、初期値）をフレーム内の所定の位置（例えば、「Ｓｃｒａｍｂｌｅｒ  Ｉｎｉｔｉａｌｉｚａｔｉｏｎ」のフィールド）にもつ情報を送信する第１の情報処理装置（例えば、図６の端末装置１０１）と、自己同期型のデスクランブラ（例えば、図８のデスクランブラ３２７）を有し、前記第１の情報処理装置から前記情報を受信する第２の情報処理装置（例えば、図８の基地局１０２）からなる通信システムであって、前記第１の情報処理装置は、前記スクランブラに設定される同期用の前記基準値をフレーム内の所定の位置に格納する格納手段（例えば、図６のスクランブラ）と、前記格納手段により格納された前記基準値を含む前記情報を送信する送信手段（例えば、図６の変調部２２４）とを備え、前記第２の情報処理装置は、前記送信手段により送信された前記情報を受信する受信手段（例えば、図８の復調部３２６）と、前記受信手段により受信された前記情報から前記基準値を抽出する抽出手段（例えば、図８のデスクランブラ３２７）と、前記抽出手段により抽出された前記基準値が、予め記憶されている記憶値と一致するか否かを判定する判定手段（例えば、図８の信号確認信号認識部３２５）とを備えることを特徴とする。
【００５９】
請求項２に記載の通信方法は、自己同期型のスクランブラを有し、前記スクランブラに設定される同期用の基準値をフレーム内の所定の位置にもつ情報を送信する第１の情報処理装置（例えば、図６の端末装置１０１）と、自己同期型のデスクランブラを有し、前記第１の情報処理装置から前記情報を受信する第２の情報処理装置（例えば、図８の基地局１０２）からなる通信システムの通信方法であって、前記第１の情報処理装置は、前記スクランブラに設定される同期用の前記基準値をフレーム内の所定の位置に格納し（例えば、図１０のステップＳ５０５）、格納された前記基準値を含む前記情報を送信し（例えば、図１０のステップＳ５０８）、前記第２の情報処理装置は、前記第１の情報処理装置により送信された前記情報を受信し（例えば、図１１のステップＳ５５１）、受信した前記情報から前記基準値を抽出し（例えば、図１１のステップＳ５５４）、抽出した前記基準値が、予め記憶されている記憶値と一致するか否かを判定する（例えば、図１２のステップＳ５５９）ことを特徴とする。
【００６０】
請求項３に記載の情報処理装置（例えば、図６の端末装置１０１）は、自己同期型のスクランブラ（例えば、図６のスクランブラ２２２）およびデスクランブラ（例えば、図６のデスクランブラ２２７）を有し、前記スクランブラおよび前記デスクランブラに設定される同期用の基準値をフレーム内の所定の位置にもつ情報を送信する情報処理装置であって、前記スクランブラに設定される同期用の第１の基準値をフレーム内の所定の位置に格納する格納手段（例えば、図６のスクランブラ２２２）と、前記格納手段により格納された前記第１の基準値を含む第１の情報を他の情報処理装置に送信する送信手段（例えば、図６の変調部２２４）と、前記送信手段により送信された前記第１の情報に基づいて前記他の情報処理装置から送信される第２の情報を受信する受信手段（例えば、図６の復調部２２６）と、前記受信手段により受信された前記第２の情報のフレーム内の所定の位置に格納されている、前記デスクランブラに設定される同期用の第２の基準値を抽出する抽出手段（例えば、図６のデスクランブラ３２７）と、前記抽出手段により抽出された前記第２の基準値が、予め記憶されている記憶値と一致するか否かを判定する判定手段（例えば、図６の信号確認信号認識部２２５）とを備えることを特徴とする。
【００６１】
請求項７に記載の情報処理装置の前記受信手段により受信された前記第２の情報は、前記第１の情報を受信したことを表す情報（例えば、制御信号Ａｃｋ）であることを特徴とする。
【００６２】
請求項９に記載の情報処理方法は、自己同期型のスクランブラおよびデスクランブラを有し、前記スクランブラおよび前記デスクランブラに設定される同期用の基準値をフレーム内の所定の位置にもつ情報を送信する情報処理装置（例えば、図６の端末装置１０１）の情報処理方法であって、前記スクランブラに設定される同期用の第１の基準値をフレーム内の所定の位置に格納する格納ステップ（例えば、図１０のステップＳ５０５）と、前記格納ステップの処理により格納された前記第１の基準値を含む第１の情報を他の情報処理装置に送信する送信ステップ（例えば、図１０のステップＳ５０８）と、前記送信ステップの処理により送信された前記第１の情報に基づいて前記他の情報処理装置から送信される第２の情報を受信する受信ステップ（例えば、図１１のステップＳ５５１）と、前記受信ステップの処理により受信された前記第２の情報のフレーム内の所定の位置に格納されている、前記デスクランブラに設定される同期用の第２の基準値を抽出する抽出ステップ（例えば、図１１のステップＳ５５４）と、前記抽出ステップの処理により抽出された前記第２の基準値が、予め記憶されている記憶値と一致するか否かを判定する判定ステップ（例えば、図１２のステップＳ５５９）とを含むことを特徴とする。
【００６３】
なお、請求項１０に記載のプログラムの構成要件と、発明の実施の形態における具体例との対応関係の例示は、請求項９に記載の情報処理方法と同様であるので省略する。
【００６４】
請求項１１に記載の情報処理装置は、自己同期型のデスクランブラを有し、前記デスクランブラに設定される同期用の基準値をフレーム内の所定の位置にもつ情報を受信する情報処理装置（例えば、図８の基地局１０２）であって、他の情報処理装置から第１の情報を受信する受信手段（例えば、図８の復調部３２６）と、前記受信手段により受信された前記第１の情報のフレーム内の所定の位置に格納されている、前記デスクランブラに設定される同期用の第１の基準値を抽出する抽出手段（例えば、図８のデスクランブラ３２７）と、前記抽出手段により抽出された第１の基準値が、予め記憶されている基準値と一致するか否かを判定する判定手段（例えば、図８の信号確認信号認識部３２５）とを備えることを特徴とする。
【００６５】
請求項１２に記載の情報処理装置は、前記判定手段により、前記第１の基準値が前記記憶値と一致すると判定された場合、スクランブラに設定される同期用の第２の基準値をフレーム内の所定の位置に格納する格納手段（例えば、図８のスクランブラ３２２）と、前記格納手段により格納された前記第２の基準値を含む第２の情報を前記他の情報処理装置に送信する送信手段（例えば、図８の復調部３２６）と、をさらに備えることを特徴とする。
【００６６】
請求項１６に記載の情報処理装置の前記送信手段により送信された前記第２の情報は、前記第１の情報を受信したことを表す情報（例えば、制御信号Ａｃｋ）であることを特徴とする。
【００６７】
請求項１８に記載の情報処理方法は、他の情報処理装置から第１の情報を受信する受信ステップ（例えば、図１１のステップＳ５５１）と、前記受信ステップの処理により受信された前記第１の情報のフレーム内の所定の位置に格納されている、前記デスクランブラに設定される同期用の第１の基準値を抽出する抽出ステップ（例えば、図１１のステップＳ５５４）と、前記抽出ステップの処理により抽出された第１の基準値が、予め記憶されている基準値と一致するか否かを判定する判定ステップ（例えば、図１２のステップＳ５５９）とを含むことを特徴とする。
【００６８】
なお、請求項１９に記載のプログラムの構成要件と、発明の実施の形態における具体例との対応関係の例示は、請求項１８に記載の情報処理方法と同様であるので省略する。
【００６９】
以下に、本発明の実施の形態について図面を参照して説明する。
【００７０】
図５は、本発明を適用した通信システムの全体の構成例を示す図である。
【００７１】
同図に示されるように、端末装置１０１と基地局１０２は、無線により相互に直接通信する。
【００７２】
図６は、図５の端末装置１０１の機能的構成を示すブロック図である。
【００７３】
端末装置１０１には、上位アプリケーション２０１、無線通信インターフェース２０２、およびＡｃｋ（ＡＣＫｎｏｗｌｅｄｇｅｍｅｎｔ）生成部２０３が設けられている。
【００７４】
上位アプリケーション２０１は、情報を送信したり、受信して、所定の処理を実行する。
【００７５】
Ａｃｋ生成部２０３は、無線通信インターフェース２０２が所定の情報を受信した場合、その情報を受信したことを表す制御信号Ａｃｋを生成し、出力する。
【００７６】
無線通信インターフェース２０２には、フレーム構築部２２１、スクランブラ２２２、信号生成埋め込み部２２３、変調部２２４、信号確認信号認識部２２５、復調部２２６、デスクランブラ２２７、およびフレーム解体部２２８が設けられている。
【００７７】
フレーム構築部２２１は、上位アプリケーション２０１から供給された信号をフレーム構築する。構築されるフレーム構造の例を、図７に示す。図７は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ）８０２．１１に規定されるフレーム構造の例を示す。
【００７８】
図７に示されるように、フレームは、「ＰＬＣＰ  Ｐｒｅａｍｂｌｅ」、「ＳＩＧＮＡＬ」、および「ＤＡＴＡ」の各フィールドから構成される。「ＰＬＣＰ  Ｐｒｅａｍｂｌｅ」フィールドはフレーム同期確立のためのデータが格納される。「ＳＩＧＮＡＬ」フィールドは伝送速度や変調方式等を通知するために用いられ、「ＤＡＴＡ」フィールドは、実際のデータを格納するために用いられる。「ＳＩＧＮＡＬ」フィールドと、「ＤＡＴＡ」フィールドの先頭の「ＳＥＲＶＩＣＥ」フィールドにより、ＰＬＣＰヘッダが格納される。
【００７９】
「ＳＩＧＮＡＬ」フィールドは、変調方式を格納する４ビットの「ＲＡＴＥ」フィールド、データ長を格納する１２ビットの「ＬＥＮＧＴＨ」フィールド、１ビットの「Ｐａｒｉｔｙ」、６ビットの「Ｔａｉｌ」により構成されている。「ＳＥＲＶＩＣＥ」フィールドの１６ビットはデスクランブラをスクランブラに同期させるために用いられる。「ＳＥＲＶＩＣＥ」フィールドにおいて、前半の７ビットから成る「Ｓｃｒａｍｂｌｅｒ  Ｉｎｉｔｉａｌｉｚａｔｉｏｎ」は、スクランブル前は、すべて「０」の値をとる。また、後半の９ビットから成る「Ｒｅｓｅｒｖｅｄ  ＳＥＲＶＩＣＥ  Ｂｉｔｓ」については、将来の使用を見越して現在その使用が保留されている。
【００８０】
詳細は後述するが、問い合わせ信号に対応する値（初期値）は、「Ｓｃｒａｍｂｌｅｒ  Ｉｎｉｔｉａｌｉｚａｔｉｏｎ」に配置される（スクランブルされることにより格納される）。上位アプリケーションからの認証要求信号、または、情報を受け取ったことを示す制御信号Ａｃｋ（ＡＣＫｎｏｗｌｅｄｇｅｍｅｎｔ）は、例えば、「ＳＥＲＶＩＣＥ」フィールドの次の「ＰＳＤＵ」に格納される。また、スクランブラ２２２により実際にスクランブルされる信号は、「ＳＥＲＶＩＣＥ」フィールド、「ＰＳＤＵ」フィールド、「Ｔａｉｌ」フィールド、および「Ｐａｄ  Ｂｉｔｓ」フィールドからなる「ＤＡＴＡ」フィールドのデータである。
【００８１】
図６に戻って、信号生成埋め込み部２２３は、問い合わせ信号に対応する基準値（初期値）を生成し（または読み出し）、スクランブラ２２２に出力する。スクランブラ２２２は、自己同期型のスクランブラであり、フレーム構築部２２１によりフレーム構築された信号を、初期値に基づいてスクランブルする。これにより、フレーム内の所定の位置に、スクランブラおよびデスクランブラに設定される同期用の初期値が格納される。スクランブラ２２２は、スクランブルした信号（フレーム内の所定の位置に自己同期型スクランブラ２２２に設定される同期用の初期値が格納された信号）を変調部２２４に出力する。変調部２２４は、スクランブルされた信号に対して、無線通信を行うための変調を施し、アンテナ２５０を介して、送信する。
【００８２】
復調部２２６は、他の機器（例えば、基地局１０２の無線通信インターフェース３０２）から送信された信号をアンテナ２５０を介して受信して、復調し、デスクランブラ２２７は、復調された信号から初期値（フレーム内の所定の位置に格納されている、同期用のスクランブラおよびデスクランブラに設定される同期用の初期値（基準値））を抽出するとともに、抽出した初期値を信号確認信号認識部２２５に出力する。そして、デスクランブラ２２７は、抽出した初期値に基づき、デスクランブル処理を実行するとともに、デスクランブルした信号の中から所望のフレーム（信号）のみをフレーム解体部２２８に供給する。
【００８３】
信号確認信号認識部２２５は、デスクランブラ２２７から初期値を取得して、初期値を確認（予め記憶されている記憶値と一致するか否かを判定）する。信号確認信号認識部２２５により初期値が記憶値と一致すると判定された場合、信号生成埋め込み部２２３は、予め記憶されている初期値（信号確認信号認識部２２５により判定された初期値と同一でもよいし、異なっていてもよい）をスクランブラ２２２に供給する。すなわち、信号生成埋め込み部２２３と信号確認信号認識部２２５は、別途指示される認証フェーズにおいて、初期値情報のやりとりを実行する。
【００８４】
フレーム解体部２２８は、デスクランブラ２２７から供給されたフレームを解体し、解体した信号を、上位アプリケーション２０１に供給する。
【００８５】
図６において、端末装置１０１が送信機能を実行する場合と、受信機能を実行する場合を分けて考えると、端末装置１０１が送信機能を実行する場合、無線通信インターフェース２０２のフレーム構築部２２１は、上位アプリケーション２０１から供給された信号をフレーム構築し、スクランブラ２２２は、信号生成埋め込み部２２３から供給された初期値に基づいて、フレーム構築された信号をスクランブルする。このとき、フレームの一部（「Ｓｃｒａｍｂｌｅｒ  Ｉｎｉｔｉａｌｉｚａｔｉｏｎ」のフィールド）（自己同期型のスクランブラおよびデスクランブラに設定される同期用の基準値が格納されるフィールド）に初期値が格納される（埋め込まれる）。変調部２２４は、スクランブルされた信号を変調し、アンテナ２５０を介して送信する。
【００８６】
逆に、端末装置１０１が受信機能を実行する場合、無線通信インターフェース２０２の復調部２２６は、アンテナ２５０を介して受信した信号を復調し、デスクランブラ２２７は、復調して得られた信号から、初期値を抽出し（同期用の基準値が格納される「Ｓｃｒａｍｂｌｅｒ  Ｉｎｉｔｉａｌｉｚａｔｉｏｎ」のフィールドから初期値を抽出し）、抽出した初期値を信号確認信号認識部２２５に出力するとともに、初期値に基づいて信号をデスクランブルする。フレーム解体部２２８は、デスクランブルされた信号をフレーム解体し、所望の信号を上位アプリケーション２０１に出力する。信号確認信号認識部２２５は、初期値が予め設定されている記憶値と一致するか否かを判定することにより認証処理を行い、一致すると判定された場合、信号生成埋め込み部２２３は、このデスクランブラ２２７により得られた初期値に対応する初期値を生成または読み出し、スクランブラ２２２に出力する。
【００８７】
なお、スクランブラ２２２およびデスクランブラ２２７の詳細は、図１６乃至図２０を参照して後述する。
【００８８】
図８は、図５の基地局１０２の機能的構成を示すブロック図である。
【００８９】
図８を図６と比較して明らかなように、図８の基地局１０２は、図６の端末装置１０１と、基本的に同様の構成とされている。
【００９０】
すなわち、図６の端末装置１０１の上位アプリケーション２０１、無線通信インターフェース２０２としてのフレーム構築部２２１、スクランブラ２２２、信号生成埋め込み部２２３、変調部２２４、信号確認信号認識部２２５、復調部２２６、デスクランブラ２２７、およびフレーム解体部２２８に対応して、基地局１０２は、上位アプリケーション３０１、無線通信インターフェース３０２としてのフレーム構築部３２１、スクランブラ３２２、信号生成埋め込み部３２３、変調部３２４、信号確認信号認識部３２５、復調部３２６、デスクランブラ３２７、およびフレーム解体部３２８を有している。対応する名称のものは対応する機能を有しているので、その説明は省略する。
【００９１】
次に、図９のアローチャートを参照して、本発明を適用した端末識別情報に関する処理を説明する。この処理は、図６の端末装置１０１と図８の基地局１０２との間で実行される処理である。
【００９２】
登録を行いたい端末装置１０１の上位アプリケーション２０１が、ステップＳ４０１において、認証要求を発行すると、無線通信インターフェース２０２は、ステップＳ４３１において、この認証要求を受信し、認証要求に問い合わせ信号を埋め込む。ステップＳ４３２において、無線通信インターフェース２０２は、問い合わせ信号を埋め込んだ認証要求を、基地局１０２の無線通信インターフェース３０２に送信する。このとき無線通信インターフェース２０２により実行される処理（ステップＳ４３１およびステップＳ４３２の処理）の詳細を、図１０のフローチャートを参照して説明する。
【００９３】
ステップＳ５０１において、無線通信インターフェース２０２のフレーム構築部２２１は、上位アプリケーション２０１から所定の情報（いまの例の場合、認証要求の情報）を取得し、ステップＳ５０２において、所定の情報（いまの例の場合、認証要求の情報）をフレーム構築し（図７のフレームの所定の位置に認証要求の情報を格納し）、スクランブラ２２２に出力する。当初、「Ｓｃｒａｍｂｌｅｒ  Ｉｎｉｔｉａｌｉｚａｔｉｏｎ」フィールドには、全て値「０」の値が格納されている。また、いまの例の場合、認証要求の情報は、「ＰＳＤＵ」フィールド（図７）に格納される。
【００９４】
ステップＳ５０３において、信号生成埋め込み部２２３は、自分自身（いまの例の場合、無線通信インターフェース２０２）が本発明を適用した機器（本方式に対応する機器）であるか否か、すなわち、問い合わせ信号に対応する初期値を生成することが可能であるか否かを判定する。対応する機器であると判定された場合、ステップＳ５０４において、信号生成埋め込み部２２３は、問い合わせ信号に対応する初期値（本発明を適用可能な機器においては、その具体的な値は予め規定されている）を生成し（または読み出し）、スクランブラ２２２に出力する。この初期値は予め信号生成埋め込み部２２３に記憶されていてもよい。この場合、信号生成埋め込み部２２３は、記憶されている値を初期値として読み出す。
【００９５】
ステップＳ５０５において、スクランブラ２２２は、ステップＳ５０２でフレーム構築された信号（より正確には、そのうちの「ＤＡＴＡ」フィールドのデータ）を初期値（ステップＳ５０４で信号生成埋め込み部２２３により供給された初期値）を用いてスクランブルする。これにより、スクランブルした後の「Ｓｃｒａｍｂｌｅｒ  Ｉｎｉｔｉａｌｉｚａｔｉｏｎ」のフィールドには、初期値が格納される。スクランブルされた信号は、変調部２２４に出力される。なお、スクランブラ２２２により初期値に基づいて行われるスクランブル処理の詳細は、図１６乃至図２０を参照して後述する。
【００９６】
この処理により、「Ｓｃｒａｍｂｌｅｒ  Ｉｎｉｔｉａｌｉｚａｔｉｏｎ」のフィールド（図７）には、スクランブルされる前には、値「０」が格納されていたが、スクランブルされることにより、初期値（信号生成埋め込み部２２３から供給された初期値）が格納される。すなわち、同期用の初期値をフレーム内の「Ｓｃｒａｍｂｌｅｒ  Ｉｎｉｔｉａｌｉｚａｔｉｏｎ」のフィールドにもつ自己同期型のスクランブラおよびデスクランブラにおいては、スクランブルされることにより、「Ｓｃｒａｍｂｌｅｒ  Ｉｎｉｔｉａｌｉｚａｔｉｏｎ」のフィールドに、問い合わせ信号に対応する初期値が埋め込まれる。
【００９７】
このようにして、認証要求の一部に問い合わせ信号（問い合わせ信号に対応する初期値）が埋め込まれる。
【００９８】
ステップＳ５０３において、対応する機器でない（問い合わせ信号に対応する初期値の生成が不可能である、すなわち、本発明に対応していない機器である）と判定された場合、ステップＳ５０６において、スクランブラ２２２は、ステップＳ５０２でフレーム構築された信号を、スクランブルした後、そのまま、変調部２２４に出力する（この信号には、同期用の初期値（ランダムに生成された初期値）は埋め込まれているが、問い合わせ信号に対応する初期値は埋め込まれていない）。
【００９９】
ステップＳ５０５の処理の後、またはステップＳ５０６の処理の後、ステップＳ５０７において、変調部２２４は、スクランブルされた信号を変調し、ステップＳ５０８において、変調した信号を、アンテナ２５０を介して送信する。いまの例の場合、変調された信号は、基地局１０２の無線通信インターフェース３０２に送信される。
【０１００】
図１０の処理（図９のステップＳ４３１とステップＳ４３２に対応する処理）により、認証要求がフレーム構築され、自己同期型のスクランブラによりスクランブルされた結果、問い合わせ信号に対応する初期値が、フレーム内の所定の位置（「Ｓｃｒａｍｂｌｅｒ  Ｉｎｉｔｉａｌｉｚａｔｉｏｎ」フィールド内）に埋め込まれ、送信される。
【０１０１】
図９に戻って、ステップＳ４５１において、基地局１０２の無線通信インターフェース３０２は、問い合わせ信号（初期値）が埋め込まれた認証要求（ステップＳ４３２の処理で、端末装置１０１の無線通信インターフェース２０２から送信された認証要求）を受信し、ステップＳ４５２で、認証要求を基地局１０２の上位アプリケーション３０１に転送するとともに、ステップＳ４５３において、端末装置１０１の無線通信インターフェース２０２に、情報（認証要求）を受け取ったことを通知するための制御信号Ａｃｋを送信する。
【０１０２】
このとき無線通信インターフェース３０２により実行される処理（ステップＳ４５１乃至ステップＳ４５３の処理）の詳細を、図１１と図１２のフローチャートを参照して説明する。
【０１０３】
ステップＳ５５１において、無線通信インターフェース３０２の復調部３２６は、他の無線通信インターフェース（いまの例の場合、無線通信インターフェース２０２）から送信されてきた所定の情報（いまの例の場合、認証要求の情報）を、アンテナ３５０を介して受信する。
【０１０４】
ステップＳ５５２において、復調部３２６は、受信した所定の情報（いまの例の場合、認証要求の情報）を復調する（上述した図１０のステップＳ５０７で、認証要求は変調されている）。復調された所定の情報は、デスクランブラ３２７に出力される。
【０１０５】
ステップＳ５５３において、信号確認信号認識部３２５は、自分自身が本発明の機器に対応する機器であるか否か、すなわち、端末識別情報のやり取りが可能な機器であるか否かを判定し、対応する機器であると判定された場合、処理をステップＳ５５４に進める。
【０１０６】
ステップＳ５５４において、デスクランブラ３２７は、復調された所定の情報から、初期値（問い合わせ信号に対応する初期値）を抽出し、抽出した初期値を、信号確認信号認識部３２５に送信する。初期値はフレームの「ＳＥＲＶＩＣＥ」フィールドの上位７ビットと予め規定された位置に、格納されており、かつ、この「Ｓｃｒａｍｂｌｅｒ  Ｉｎｉｔｉａｌｉｚａｔｉｏｎ」のフィールドは、自己同期型のスクランブラおよびデスクランブラに設定される同期用の基準値を格納するためのフィールドであるので、容易に抽出することが可能である。
【０１０７】
また、デスクランブラ３２７は、ステップＳ５５５において、抽出した初期値に基づいて、復調信号（ステップＳ５５２で復調された所定の信号）を、デスクランブルし、フレーム解体部３２８に出力する。なお、デスクランブラ３２７の処理の詳細は、図１６乃至図２０を参照して後述する。
【０１０８】
ステップＳ５５６において、フレーム解体部３２８は、デスクランブルされたフレームを解体して所定の信号（例えば、「ＰＳＤＵ」フィールドに格納されている認証要求に対応する信号）を取得し、ステップＳ５５７において、所定の信号を、上位アプリーケーション３０１とＡｃｋ生成部３０３に出力する。
【０１０９】
ステップＳ５５８において、信号確認信号認識部３２５は、ステップＳ５５４でデスクランブラ３２７から供給された初期値に基づき、信号確認を行う。具体的には、初期値（「Ｓｃｒａｍｂｌｅｒ  Ｉｎｉｔｉａｌｉｚａｔｉｏｎ」フィールド内に格納されていた値）が、予め設定（規定）されている記憶値（問い合わせ信号に対応するパターン）と一致するか否かが確認される。この確認により、他の端末（いまの例の場合、端末装置１０１）から、問い合わせ受けていることが認識される。
【０１１０】
ステップＳ５５９において、信号確認信号認識部３２５は、データの内容が認識可能であるか否か、すなわち、予め設定されている記憶値（問い合わせ信号に対応する初期値）と一致するか否かを判定し、一致する（認識可能である）と判定された場合、ステップＳ５６０において、これまでに、送信側の機器（いまの例の場合、無線通信インターフェース２０２）を、認識不可能な機器であると認識したことがあるか否かを判定する。いまの例の場合、図９のステップＳ４５１とステップＳ４５２の処理に対応する処理であり、信号確認信号認識部３２５は、所定の情報を送信してきた送信側の無線通信インターフェース２０２を、これまでに認識不可能な機器であると認識したことは無いため（まだ１回しか、認識可能であるか否かの判定を行ってないので）、ここではＮＯと判定される。ステップＳ５６０でＹＥＳと判定される場合の例、すなわち、これまでに、送信側の機器を認識不可能な機器であると認識したことがある場合の例については、図１４と図１５を参照して後述する。
【０１１１】
ステップＳ５５９において、データの内容が認識可能でない（すなわち、記憶値と一致しない）と判定された場合、ステップＳ５６１において、信号確認信号認識部３２５は、所定の情報（いまの例の場合、認証要求）を送信してきた機器（いまの例の場合、端末装置１０１の無線通信インターフェース２０２）が認識不可能な機器である、すなわち、端末識別情報のやり取りが不可能な機器（本発明に対応していない機器）であると認識する。
【０１１２】
ステップＳ５６０において、これまでに、送信側の機器（いまの例の場合、無線通信インターフェース２０２）を認識不可能な機器であると認識したことがないと判定された場合、またはステップＳ５６１の処理の後、ステップＳ５６２において、信号生成埋め込み部３２３は、初期値（信号確認信号認識部３３５から供給された初期値と同一でもよいし、異なっていてもよい）を生成する（または読み出す）。この初期値は、問い合わせ信号の返答となる初期値として、予め記憶されていてもよい。
【０１１３】
ステップＳ５６０において、これまでに、送信側の機器を認識不可能な機器であると認識したことがあると判定された場合（詳細は図１４において後述する）、ステップＳ５６３において、信号生成埋め込み部３２３は、返答信号を生成する（または読み出す）。このとき、返答信号としての初期値の値は、ステップＳ５６２で生成する場合の値の”１”と”０”を変転した値とされる。詳細は後述するが、このとき生成された返答信号としての反転された初期値は、無線通信インターフェース３０２が、送信側の機器を、１度でも、認識不可能な機器であると認識したことがあることを表す信号となる。
【０１１４】
ステップＳ５６２またはステップＳ５６３の処理の後、処理はステップＳ５６４に進み、信号生成埋め込み部３２３は、初期値をスクランブラ３２２に出力する。信号生成埋め込み部３２３が出力する初期値は、ステップＳ５６２の処理の後では、問い合わせ信号に対応する返答信号に対応する初期値であり、ステップＳ５６３の処理の後では、返答信号に対応する初期値が反転されたものである。
【０１１５】
ところで、Ａｃｋ生成部３０３は、ステップＳ５５７の処理で、フレーム解体部３２８から供給された信号を受信し、これに基づいて、制御信号Ａｃｋ（信号を受け取ったことを示す制御信号）を生成し、無線通信インターフェース３０２のフレーム構築部３２１に出力してくる。
【０１１６】
そこで、ステップＳ５６５において、フレーム構築部３２１は、Ａｃｋ生成部３０３から制御信号Ａｃｋを受信し、ステップＳ５６６において、制御信号Ａｃｋをフレーム構築し、スクランブラ３２２に出力する。具体的には、図７のフレームの所定の位置に、制御信号Ａｃｋの情報が格納される。当初、「Ｓｃｒａｍｂｌｅｒ  Ｉｎｉｔｉａｌｉｚａｔｉｏｎ」フィールドには、全て０が格納されている。
【０１１７】
ステップＳ５６７において、スクランブラ３２２は、フレーム構築された信号（より正確には、そのうちの「ＤＡＴＡ」フィールドのデータ）を、初期値（ステップＳ５６４で信号生成埋め込み部３２３より供給された初期値）を用いてスクランブルする。これにより、スクランブラに設定される同期用の初期値が、「Ｓｃｒａｍｂｌｅｒ  Ｉｎｉｔｉａｌｉｚａｔｉｏｎ」のフィールドに格納される。スクランブラ３２２は、スクランブルした信号を、変調部３２４に出力する。これにより、制御信号Ａｃｋに、問い合わせ信号の返答信号となる初期値が埋め込まれたことになる。
【０１１８】
すなわち、「Ｓｃｒａｍｂｌｅｒ  Ｉｎｉｔｉａｌｉｚａｔｉｏｎ」フィールドには、スクランブルされる前には、値「０」が格納されていたが、スクランブルされた後には初期値が格納されたことになる。
【０１１９】
ステップＳ５５３において、自分自身が本発明の機器に対応する機器でないと判定された場合、ステップＳ５６８において、デスクランブラ３２７は、復調信号をデスクランブルし、フレーム解体部３２８に出力する。フレーム解体部３２８は、ステップＳ５６９で、フレームを解体し、ステップＳ５７０において、所望の信号（いまの例の場合、認証要求の信号）を上位アプリーケーション３０１とＡｃｋ生成部３０３に出力する。
【０１２０】
上述したように、Ａｃｋ生成部３０３は、フレーム解体部３２８から供給された信号に対して制御信号Ａｃｋを生成し、供給してくるので、ステップＳ５７２において、フレーム構築部３２１は、制御信号Ａｃｋをフレーム構築し（図７のフレームの所定の位置に制御信号Ａｃｋの情報を格納し）、スクランブラ３２２に出力する。スクランブラ３２２は、ステップＳ５７３において、フレーム構築された信号をスクランブルし、変調部３２４に出力する。
【０１２１】
ステップＳ５６７の処理の後、またはステップＳ５７３の処理の後、ステップＳ５７４において、変調部３２４は、スクランブルされた信号（ステップＳ５６７またはステップＳ５７３の処理でスクランブルされた信号）を変調し、ステップＳ５７５において、変調した信号をアンテナ３５０を介して出力し、処理を終了する。送信された信号は、端末装置１０１の無線通信インターフェース２０２に受信される。
【０１２２】
図１１と図１２の処理（例えば、図９のステップＳ４５１乃至ステップＳ４５３に対応する処理）により、認証要求が受信され、受信された認証要求が上位アプリーケーション３０１に出力される。また、認証要求に格納されている問い合わせ信号に対応する初期値が抽出され、信号確認（予め設定されている記憶値と一致するか否かの判定）が行われた後、返答信号に対応する初期値に基づき制御信号Ａｃｋがスクランブルされ、送信される。これにより、制御信号Ａｃｋを構成するフレームの所定の位置（「Ｓｃｒａｍｂｌｅｒ  Ｉｎｉｔｉａｌｉｚａｔｉｏｎ」フィールド内）に、初期値（返答信号）が埋め込まれる。なお、図１１のステップＳ５５３で対応する機器でないと判定された場合、ステップＳ５５９で認識可能でないと判定された場合、またはステップＳ５６０で送信してきた機器が対応する機器でないと判定された場合については、図１４と図１５を参照して後述する。
【０１２３】
図９に戻って、ステップＳ４３３において、端末装置１０１の無線通信インターフェース２０２は、ステップＳ４５３の処理で基地局１０２の無線通信インターフェース３０２から初期値（返答信号）が埋め込まれた制御信号Ａｃｋを受信し、返答信号を認識する。このとき無線通信インターフェース２０２により実行される処理（図９のステップＳ４３３の返答信号認識処理）の詳細を、図１３のフローチャートを参照して説明する。
【０１２４】
ステップＳ６０１において、無線通信インターフェース２０２の復調部２２６は、アンテナ２５０を介して、他の無線通信インターフェース（いまの例の場合、無線通信インターフェース３０２）から制御信号Ａｃｋを受信する。上述した図１２のステップＳ５６７の処理により、制御信号Ａｃｋを構成するフレーム内（「Ｓｃｒａｍｂｌｅｒ  Ｉｎｉｔｉａｌｉｚａｔｉｏｎ」フィールド内）には、初期値（返答信号）が格納されている。
【０１２５】
ステップＳ６０２において、復調部２２６は、制御信号Ａｃｋを復調し、復調した制御信号Ａｃｋ（返答信号が埋め込まれている制御信号Ａｃｋ）をデスクランブラ２２７に出力する。
【０１２６】
ステップＳ６０３において、信号確認信号認識部２２５は、自分自身（いまの例の場合、無線通信インターフェース２０２）が対応する機器（本発明に対応した機器、すなわち、端末識別情報のやり取りが可能な機器）であるか否かを判定し、対応する機器であると判定された場合、ステップＳ６０４において、デスクランブラ２２７は、制御信号Ａｃｋから初期値（返答信号に対応する初期値）を抽出し、信号確認信号認識部２２５に出力する。
【０１２７】
ステップＳ６０５において、信号確認信号認識部２２５は、初期値（返答信号に対応する初期値）を受信し、初期値に基づいて信号確認を行い、ステップＳ６０６において、返答信号が認識可能であるか（予め設定されている値と一致するか）否かを判定する。返答信号が認識可能である（予め設定されている値と一致する）と判定された場合（ステップＳ５６２の処理で返答信号が生成された場合）、ステップＳ６０７において、信号確認信号認識部２２５は、相手側の機器を認識可能であることを認識し、返答信号が認識不可能である（予め設定されている値と一致しない）と判定された場合（ステップＳ５７３の処理で返答信号が生成された場合）、ステップＳ６０８において、相手側の機器を認識不可能であると認識する。
【０１２８】
ステップＳ６０３で対応する機器でないと判定された場合、ステップＳ６０７の処理の後、またはステップＳ６０８の処理の後、ステップＳ６０９において、デスクランブラ２２７は、復調された信号をデスクランブルし、処理は終了される。実際には、デスクランブルされた信号に基づき各種の処理が実行されるが、その説明は省略する。
【０１２９】
図１３の処理（例えば、図９のステップＳ４３３に対応する処理）により、端末装置１０１の無線通信インターフェース２０２は、基地局１０２が、端末識別情報のやり取りが可能な基地局であるか否か（本発明に対応する機器であるか否か）を判定することができる。しかしながら、この「Ｓｃｒａｍｂｌｅｒ  Ｉｎｉｔｉａｌｉｚａｔｉｏｎ」のフィールドに埋め込まれる返答信号（初期値）は、端末識別情報のやり取りが不可能な基地局（本発明に対応していない機器）がスクランブルした値とたまたま同じになる可能性もあるため、後述するアソシエーション要求時に、再度制御信号Ａｃｋに含まれる返答信号を認識することにより（すなわち、２度確認を行うことにより）、認識を確実なものとする。
【０１３０】
図９に戻って、ステップＳ４８１において、基地局１０２の上位アプリーケーション３０１は、ステップＳ４５２の処理（図１１のステップＳ５５７に対応する処理）で無線通信インターフェース３０２から送信された認証要求を受信すると、この認証要求に対して、認証の可否を判定する。そして上位アプリケーション３０１は、認証の可否の判定結果を通知するための認証応答（認証通知）を生成し、ステップＳ４８２において、これを無線通信インターフェース３０２に送信する。
【０１３１】
無線通信インターフェース３０２は、ステップＳ４５４においてこれを受信し、認証応答（認証通知）の一部（「Ｓｃｒａｍｂｌｅｒ  Ｉｎｉｔｉａｌｉｚａｔｉｏｎ」のフィールド）に問い合わせ信号を埋め込み、ステップＳ４５５において、この認証応答（問い合わせ信号が埋め込まれた認証応答）を、端末装置１０１の無線通信インターフェース２０２に送信する。
【０１３２】
具体的には、上述した図１０と同様の処理が行われるので、その説明は省略する。この場合、図１０の所定の情報が、認証通知（認証応答）に変更され、この処理を実行するのが、基地局１０２の無線通信インターフェース３０２となるだけである。
【０１３３】
無線通信インターフェース２０２は、ステップＳ４３４において、認証通知（問い合わせ信号が埋め込まれた認証通知）を受信すると、ステップＳ４３５において、認証通知を端末装置１０１の上位アプリケーション２０１に送信するとともに、ステップＳ４３６において、認証通知（応答）を受け取ったことに対する制御信号Ａｃｋ（すなわち、情報を受け取ったことを通知するための制御信号）の一部に返答信号に対応する初期値を埋め込んで、基地局１０２の無線通信インターフェース３０２に送信する。具体的には、上述した図１１および図１２と同様の処理が行われるので、その説明は省略する。この場合、図１１および図１２の所定の情報が、認証通知に変更され、この処理を実行するのが、端末装置１０１の無線通信インターフェース２０２となるだけである。
【０１３４】
ステップＳ４５６において、基地局１０２の無線通信インターフェース３０２は、無線通信インターフェース２０２により送信された制御信号Ａｃｋ（ステップＳ４３６の処理で、フレーム内の所定の位置に返答信号に対応する初期値が埋め込まれた制御信号Ａｃｋ）を受信し、返答信号を認識する。具体的には、上述した図１３と同様の処理が行われるので、その詳細は省略する。この場合、図１３の処理を実行するのが基地局１０２の無線通信インターフェース３０２となるだけである。これにより、基地局１０２は、端末装置１０１が、端末識別情報のやり取りが可能な端末装置であることを認識することができる。
【０１３５】
端末装置１０１の上位アプリーケーション２０１は、ステップＳ４０２において、認証通知を受信すると、認証通知（認証応答）を参照し、認証が受けられたか否かを判定する。認証が受けられたと判定された場合、ステップＳ４０３において、端末装置１０１の上位アプリケーション２０１は、アソシエーション要求を発行し、無線通信インターフェース２０２に送信する。無線通信インターフェース２０２は、ステップＳ４３７においてこれを受信し、アソシエーション要求に問い合わせ信号を埋め込み、ステップＳ４３８において、アソシエーション要求を基地局１０２の無線通信インターフェース３０２に送信する。具体的には、上述した図１０と同様の処理が行われるので、その説明は省略する。この場合、図１０の所定の情報がアソシエーション要求となるだけである。
【０１３６】
基地局１０２の無線通信インターフェース３０２は、ステップＳ４５７においてアソシエーション要求（問い合わせ信号に対応する初期値が埋め込まれたアソシエーション要求）を受信し、ステップＳ４５８において、アソシエーション要求を基地局１０２の上位アプリケーション３０１に出力する。また、無線通信インターフェース３０２は、ステップＳ４５９において、アソシエーション要求に埋め込まれている問い合わせ信号を抽出するとともに認識し、制御信号Ａｃｋに返答信号に対応する初期値を埋め込むとともに、端末装置１０１の無線通信インターフェース２０２に送信する。具体的には、上述した図１１および図１２と同様の処理が行われるので、その説明は省略する。この場合、所定の情報がアソシエーション要求となるだけである。
【０１３７】
ステップＳ４３９において、端末装置１０１の無線通信インターフェース２０２は、無線通信インターフェース３０２から制御信号Ａｃｋ（返答信号に対応する初期値が、制御信号Ａｃｋ内の「Ｓｃｒａｍｂｌｅｒ  Ｉｎｉｔｉａｌｉｚａｔｉｏｎ」フィールドに格納されている制御信号Ａｃｋ）を受信し、返答信号を認識する（予め設定されている記憶値と一致するか否かを判定する）。すなわち、２回目の判定が行われることになる。本方式に対応していない機器が２回連続で問い合わせ信号や返答信号に対応する初期値と同じ値を埋め込む可能性は極めて低いので、極めて正確に判定をすることが可能となる。具体的には、上述した図１３の処理と同様の処理が行われるので、その説明は省略する。
【０１３８】
基地局１０２の上位アプリケーション３０１は、ステップＳ４８３において、無線通信インターフェース３０２からアソシエーション要求を受信すると、要求を許可するか否かを判定する。ステップＳ４８４において、上位アプリケーション３０１は、アソシエーション要求に対して、アソシエーションの可否を通知するアソシエーション応答（アソシエーション通知）を生成し、無線通信インターフェース３０２に送信する。
【０１３９】
無線通信インターフェース３０２は、ステップＳ４６０において、アソシエーション応答を受け取り、アソシエーション応答の一部に問い合わせ信号を埋め込み、ステップＳ４６１において、端末装置１０１の無線通信インターフェース２０２に送信する。具体的には、上述した図１０と同様の処理が行われるので、その説明は省略する。この場合、図１０の所定の情報がアソシエーション応答（通知）となり、この処理を実行するのが基地局１０２の無線通信インターフェース３０２となるだけである。
【０１４０】
端末装置１０１の無線通信インターフェース２０２は、ステップＳ４４０においてこのアソシエーション通知を受け取る。ステップＳ４４１において、無線通信インターフェース２０２は、アソシエーション通知を上位アプリーケーション２０１に供給する。この信号はステップＳ４０４で上位アプリケーション２０１により受信される。
【０１４１】
無線通信インターフェース２０２は、ステップＳ４４２において、アソシエーション通知に埋め込まれている問い合わせ信号を認識するとともに、返答信号に対応する初期値を制御信号Ａｃｋに埋め込み、基地局１０２の無線通信インターフェース３０２に出力する。具体的には、上述した図１１および図１２と同様の処理が行われるので、その説明は省略する。この場合、図１１および図１２の所定の情報が、アソシエーション通知となるだけである。
【０１４２】
ステップＳ４６２において、基地局１０２の無線通信インターフェース３０２は、返答信号に対応する初期値が埋め込まれた制御信号Ａｃｋを受信し、この初期値を抽出するとともに、これを認識する（予め設定されている記憶値と一致するか否かを判定する）。具体的には、上述した図１３と同様の処理が行われるので、その説明は省略する。この場合、図１３の所定を実行するのが、基地局１０２の無線通信インターフェース３０２となるだけである。
【０１４３】
図９の処理では、端末装置１０１の無線通信インターフェース２０２は、ステップＳ４３３とステップＳ４３９の２回に渡って、自分自身が埋め込んだ問い合わせ信号（ステップＳ４３２、およびステップＳ４３８で埋め込んだ問い合わせ信号）に対する返答信号を認識している。
【０１４４】
これにより、端末識別情報のやり取りが不可能な基地局が、所定の情報をスクランブルした場合、「Ｓｃｒａｍｂｌｅｒ  Ｉｎｉｔｉａｌｉｚａｔｉｏｎ」のフレームに格納される値（初期値）が、偶然、返答信号に対応する初期値と同一の値になる可能性を低くすることができ、もって、基地局１０２が、端末識別情報のやり取りが可能な基地局であることを、データ通信の開始前に、確実に認識することができる。
【０１４５】
すなわち、所定の情報は、「認証通知」や「アソシエーション通知」等のように、毎回異なるため、対応していない機器がスクランブルすると、「Ｓｃｒａｍｂｌｅｒ  Ｉｎｉｔｉａｌｉｚａｔｉｏｎ」フィールドの値が毎回異なるものとなる。このように、２回に渡って「Ｓｃｒａｍｂｌｅｒ  Ｉｎｉｔｉａｌｉｚａｔｉｏｎ」フィールドの値が偶然同じ値となる確率は極めて低いので、確実に認識（判定）することができる。
【０１４６】
また、基地局１０２の無線通信インターフェース３０２についても、ステップＳ４５６とステップＳ４６２の２回に渡って自分自身が埋め込んだ問い合わせ信号（ステップＳ４５５、およびステップＳ４６１で埋め込んだ問い合わせ信号）に対する返答信号を認識するので、端末装置１０１が、端末識別情報のやり取りが可能な端末装置であることを、確実に認識することができる。
【０１４７】
図９の処理をまとめると、次のようになる。すなわち、無線通信インターフェース（例えば、無線通信インターフェース２０２）は、送信する情報を問い合わせ信号に対応する初期値を用いてスクランブルし、送信する。これにより、同期用の基準値が格納される所定の位置（「Ｓｃｒａｍｂｌｅｒ  Ｉｎｉｔｉａｌｉｚａｔｉｏｎ」のフィールド）に、問い合わせ信号に対応する初期値を埋め込むことができる。また、他方の無線通信インターフェース（例えば、無線通信インターフェース３０２）は、問い合わせ信号が埋め込まれた（スクランブラおよびデスクランブラに設定される同期用の初期値が埋め込まれる位置に問い合わせ信号が埋め込まれた）情報を受信し、情報を送信してきた装置が、端末識別情報のやり取りが可能であることを認識（判定）するとともに、返答信号に対応する初期値で制御信号Ａｃｋをスクランブルすることにより返答信号に対応する初期値が埋め込まれた制御信号Ａｃｋを送り返す。無線通信インターフェース（いまの例の場合、無線通信インターフェース２０２）は、制御信号Ａｃｋを受信し、返答信号に対応する初期値を抽出するとともに、予め設定されている記憶値と一致するか否かを判定することにより、制御信号Ａｃｋを送信してきた機器が、端末識別情報のやり取りが可能であるか否かを認識することができる。これらの処理が複数回（いまの例の場合、２回）繰り返されることにより、互いの装置が、端末識別情報のやり取りが可能であるか否かを確実に認識する（すなわち、相互認証を行う）ことができる。
【０１４８】
また、図９の処理により、端末装置１０１と基地局１０２が、互いに、一連の登録作業が完了するとともに、互いが端末識別情報のやり取りが可能な機器であることを認識することができる。
【０１４９】
図９の処理により、一連の登録作業が終了した後、データ通信が行われる。従来では、登録手順で特別な情報（例えば、特定の端末であるか否かを判定する端末識別情報）がデータ通信上で交換されたが、本発明を適用することにより、一連の登録作業の中で、特別な情報を交換することができる。すなわち、本来のデータ通信における通信レートを下げることなく、データ通信を行うことができる。
【０１５０】
また、無線通信インターフェースが、端末識別情報を授受しあうため、上位アプリーケーションに情報交換機能を備えさせる必要がなく、もって、容易に実現可能とすることができる。
【０１５１】
さらに、既存仕様の登録作業に所望の端末識別情報の交換が含まれていない場合においても、本来のデータ通信のデータレートを下げることなく、対応端末との間において、確実に端末識別情報を交換することができる。
【０１５２】
図１４は、端末装置１０１と基地局１０２の端末識別情報の交換に関する他の例を示している。図１４の例では、基地局１０２の無線通信インターフェース３０２に、端末識別情報を授受する能力がなく（すなわち、基地局１０２が従来の無線通信インターフェース２２と同様であり）、端末装置１０１の無線通信インターフェース２０２に、端末識別情報を授受する能力がある（すなわち、本発明に対応した無線通信インターフェース２０２である）ものとされている。
【０１５３】
図１４の処理は、基本的に、図９の処理と同様の処理であるが、基地局１０２の無線通信インターフェース３０２が、端末識別情報を授受する能力がないため（すなわち、信号生成埋め込み部３２３および信号確認信号認識部３２５を有していないため）、それに対応する処理である、図１４のステップＳ７３３およびステップＳ７３９、並びに、ステップＳ７５１乃至ステップＳ７６２の処理が、図９におけるステップＳ４３３およびステップＳ４３９、並びに、ステップＳ４５１乃至ステップＳ４６２の処理と異なっている。
【０１５４】
その他の処理は、図９の処理と同様の処理であるので、その説明は省略する。以下に、ステップＳ７３３およびステップＳ７３９、並びに、ステップＳ７５１乃至ステップＳ７６２の処理についてだけ説明する。
【０１５５】
無線通信インターフェース３０２は、図１４のステップＳ７５１において、端末装置１０１の無線通信インターフェース２０２から（図９のステップＳ４３２と対応する、ステップＳ７３２の処理）問い合わせ信号が埋め込まれた認証要求を受信し、ステップＳ７５２で、受信した認証要求を基地局１０２の上位アプリーケーション３０１に転送するとともに、ステップＳ７５３において、端末装置１０１の無線通信インターフェース２０２に、情報（認証要求）を受け取ったことを通知するための制御信号Ａｃｋを送信する。
【０１５６】
上述した図９のステップＳ４５３の処理では、認証要求の一部に埋め込まれた問い合わせ信号に対応する初期値が抽出され、この初期値が予め設定されている記憶値と一致するか否かの判定により、信号確認が行われるとともに、返信信号に対応する初期値が制御信号Ａｃｋの一部に格納され、送信されている。
【０１５７】
しかしながら、図１４の例の場合、基地局１０２の無線通信インターフェース３０２は、端末識別情報のやり取りが不可能である、すなわち、認証要求に格納されている問い合わせ信号に対応する初期値に基づいて信号確認を行ったり、返信信号に対応する初期値を制御信号Ａｃｋに埋め込むことができない。そのため、図１４のステップＳ７５３では、無線通信インターフェース３０２は、単に、認証要求を受信したことを示す制御信号Ａｃｋを送信するだけである。
【０１５８】
具体的には、この処理の詳細である図１１のフローチャートにおいては、図１１のステップＳ５５１乃至ステップＳ５５３の処理が実行される。そして、ステップＳ５５３で、対応する機器ではない（ＮＯ）と判定され、ステップＳ５６８乃至ステップＳ５７３、並びに、ステップＳ５７４およびステップＳ５７５の処理が実行される。
【０１５９】
端末装置１０１の無線通信インターフェース２０２は、ステップＳ７３３において、基地局１０２の無線通信インターフェース３０２から制御信号Ａｃｋ（返答信号が埋め込まれていない制御信号Ａｃｋ）を受信し、返信信号の認識ができない（返信信号がＮＧである）ことを確認する。
【０１６０】
具体的には、図１３に示される返信信号認識処理が実行されるが、制御信号Ａｃｋの一部に返信信号に対応する初期値は埋め込まれていないため（スクランブルによりなんらかの値が格納されてはいるが、無線通信インターフェース３０２に予め設定されている記憶値とは異なる値であるため）、図１３のステップＳ６０６において、認識可能でない（すなわち、予め設定されている記憶値とは一致しない（ＮＯである））と判定され、ステップＳ６０８において、認識不可能（返答信号認識がＮＧ）であると認識される。
【０１６１】
その後、ステップＳ７８２において、基地局１０２の上位アプリーケーション３０１から認証通知（認証応答）が送信されると、無線通信インターフェース３０２は、ステップＳ７５４において、これを受信し、ステップＳ７５５で、受信した認証応答（認証通知）を端末装置１０１の無線通信インターフェース２０２に送信する。
【０１６２】
図１４のステップＳ７５４およびステップＳ７５５に対応する図９のステップＳ４５４およびステップＳ４５５では、認証通知に問い合わせ信号が埋め込まれ、無線通信インターフェース２０２に送信されているが、図１４の例では、無線通信インターフェース３０２が、端末識別情報の授受が不可能であるので、単に、受信した認証通知（上位アプリーケーション３０１から受信した認証通知）を無線通信インターフェース２０２に送り返すだけである。
【０１６３】
具体的には、図１４のステップＳ７５４およびステップＳ７５５では、図９のステップＳ４５４およびステップＳ４５５の処理と同様に、図１０の処理が実行されるが、この場合、図１０のフローチャートにおいては、図１０のステップＳ５０１およびステップＳ５０２の処理の後、ステップＳ５０３で対応する機器ではない（端末識別情報の授受が不可能であることは、対応する機器ではないことと等価である）と判定され、ステップＳ５０６、ステップＳ５０７、およびステップＳ５０８の処理が実行される。すなわち、図１４の例の場合、無線通信インターフェース３０２は、端末識別情報のやり取りが不可能であるため、問い合わせ信号に対応する初期値を、認証通知に埋め込むことができない。
【０１６４】
図１４に戻って、ステップＳ７３４において、無線通信インターフェース２０２は、認証通知（問い合わせ信号が埋め込まれていない認証通知）を受信すると、ステップＳ７３５において、認証通知を端末装置１０１の上位アプリケーション２０１に送信するとともに、ステップＳ７３６において、認証通知に埋め込まれている初期値（問い合わせ信号に対応する初期値）を確認する。
【０１６５】
基地局１０２の無線通信インターフェース３０２は、端末識別情報のやり取りが不可能であるため、ステップＳ７３４で、無線通信インターフェース２０２が受信する認証通知には、問い合わせ信号に対応する初期値が埋め込まれていないはずである。しかしながら、基地局１０２の無線通信インターフェース３０２により送信する認証通知がスクランブルされた結果（図１０のステップＳ５０６の処理が実行された結果）、「Ｓｃｒａｍｂｌｅｒ  Ｉｎｉｔｉａｌｉｚａｔｉｏｎ」のフィールドが、偶然、問い合わせ信号に対応する初期値と一致する信号となる場合がある。
【０１６６】
図１４の例では、ステップＳ７５５の処理で、無線通信インターフェース３０２が送信した認証通知の「Ｓｃｒａｍｂｌｅｒ  Ｉｎｉｔｉａｌｉｚａｔｉｏｎ」のフィールドが、問い合わせ信号に対応する初期値と偶然一致する値となったものとされている。
【０１６７】
具体的には、図１４のステップＳ７３４乃至ステップＳ７３６に対応して、上述した図９のステップＳ４３４乃至ステップＳ４３６の処理と同様に、図１１および図１２に示される処理が実行されるが、図１４のステップＳ７３４乃至ステップＳ７３６では、図１１のステップＳ５５１乃至ステップＳ５５８の処理の後、ステップＳ５５９で認識可能である（ＹＥＳである）と判定され（偶然、スクランブルにより問い合わせ信号に対応する初期値と同じ値となっているため、ＹＥＳであると判定され）、ステップＳ５６０において、これまでに送信側の機器を認識不可能な機器であると認識したことがある（ＹＥＳである）と判定される。
【０１６８】
これは、上述した図１４のステップＳ７３３（例えば、図１３のステップＳ６０８）で、返答信号認識がＮＧであることが確認されているので、図１２のステップＳ５６０では、送信側の機器を認識不可能な機器であると認識したことがあると判定される。すなわち、ここで、端末装置１０１の無線通信インターフェース２０２の信号確認信号認識部２２５は、送信してきた機器である基地局１０２の無線通信インターフェース３０２が、認証通知に問い合わせ信号に対応する初期値と一致する値を偶然埋め込んだものと判定している。
【０１６９】
その後、ステップＳ５６３において、信号生成埋め込み部２２３は、返答信号に対応する初期値を生成し（または、予め設定されている返答信号を読み出し）、これを反転して初期値とする。信号生成埋め込み部２２３は、返答信号に対応する初期値を反転して新たな初期値とすることで、相手側の機器（基地局１０２の無線通信インターフェース３０２）が、端末識別情報のやり取りが不可能である機器であると認識していることを通知する信号を生成している。信号生成埋め込み部２２３は、反転した返答信号に対応する初期値（新たな初期値）を、ステップＳ５６４で、スクランブラ２２２に出力し、その後、ステップＳ５６５乃至ステップＳ５６７、並びに、ステップＳ５７４およびステップＳ５７５の処理が実行される。これにより、反転された返答信号に対応する初期値（新たな初期値）が、制御信号Ａｃｋの「Ｓｃｒａｍｂｌｅｒ  Ｉｎｉｔｉａｌｉｚａｔｉｏｎ」フィールドに格納される。
【０１７０】
すなわち、図１４のステップＳ７３４乃至ステップＳ７３６では、無線通信インターフェース２０２は、無線通信インターフェース３０２からの認証通知を受信し、端末装置１０１の上位アプリーケーション２０１に送信するとともに、認証通知に（偶然）埋め込まれている問い合わせ信号を認識し、認証通知を送信してきた無線通信インターフェース３０２が、端末識別情報のやり取りが不可能な機器であると認識していることを示すために、返答信号に対応する初期値を反転して、制御信号Ａｃｋの一部に埋め込む。
【０１７１】
ステップＳ７３６で、無線通信インターフェース２０２により送信された制御信号Ａｃｋは、ステップＳ７５６において、基地局１０２の無線通信インターフェース３０２により受信される。上述したように、この制御信号Ａｃｋには、反転された返答信号に対応する初期値が埋め込まれている。
【０１７２】
いまの例の場合、基地局１０２の無線通信インターフェース３０２は、端末識別情報のやり取りが不可能な機器であるので、反転された返答信号を認識することができない。すなわち、図１４のステップＳ７５６の処理の詳細な処理である図１３のフローチャートにおいては、ステップＳ６０１およびステップＳ６０２の処理の後、ステップＳ６０３で、対応する機器でない（ＮＯ）と判定され、ステップＳ６０９の処理が実行された後、処理は終了される。
【０１７３】
図１４の例の場合、基地局１０２の無線通信インターフェース３０２は、端末識別情報のやり取りが不可能な機器であるので、反転された返答信号を認識できないが、仮に、基地局１０２の無線通信インターフェース３０２が端末識別情報のやり取りが可能な機器であって、ステップＳ７５３で、無線通信インターフェース３０２が送信した制御信号Ａｃｋに埋め込んだ返答信号が、偶然、ノイズ等により正しいデータではなくなった場合にも、ステップＳ７３３では、無線通信インターフェース２０２が返答信号の認識がＮＧであることを記憶している。
【０１７４】
そのため、図１４のステップＳ７３６で、無線通信インターフェース２０２が、制御信号Ａｃｋに返答信号に対応する初期値を反転して埋め込んでおく、すなわち、無線通信インターフェース２０２が、相手側の機器である無線通信インターフェース３０２を、端末識別情報のやり取りが不可能な機器であると認識していることを通知する信号を埋め込んでおくことにより、無線通信インターフェース３０２は、端末装置１０１の無線通信インターフェース２０２が誤判定をしていることを知ることができる。
【０１７５】
図１４に戻って、端末装置１０１の上位アプリーケーション２０１は、ステップＳ７０２で、認証通知を受信すると、ステップＳ７０３において、アソシエーション要求を発行し、無線通信インターフェース２０２に送信してくる。そこで、無線通信インターフェース２０２は、ステップＳ７３７においてこれを受信する。
【０１７６】
以下、無線通信インターフェース２０２により実行されるステップＳ７３７乃至ステップＳ７４２の処理は、上述したステップＳ７３１乃至ステップＳ７３６と同様であるので、その説明は省略する。ステップＳ７３１乃至ステップＳ７３６において認証要求または認証通知であった情報が、ステップＳ７３７乃至ステップＳ７４２では、アソシエーション要求またはアソシエーション通知に変更されるだけである。
【０１７７】
図１４の処理では、端末装置１０１の無線通信インターフェース２０２は、ステップＳ７３３とステップＳ７３９の２回に渡って、自分自身が送信した問い合わせ信号に対応する返答信号を認識する。これにより、偶然に、端末識別情報のやり取りが不可能な基地局が、ステップＳ７５５およびステップＳ７６１で、返答信号に対応する初期値と同じ値を、スクランブルにより偶然埋め込んでしまった場合においても、誤判定を防ぐことができる。すなわち、基地局１０２が、端末識別情報のやり取りが不可能な基地局であることを、データ通信の開始前に、確実に認識することができる。
【０１７８】
図１４の処理により、一連の登録作業が終了した後、データ通信が行われる。端末装置１０１は、基地局１０２が、端末識別情報のやり取りが不可能な機器であることをデータ通信前に知ることができるので、確実に通信を行うことができる。また、通信レートが下がるのを防ぐことができる。さらに、他の情報処理装置を識別することができる。
【０１７９】
また、図１４の例では、端末装置１０１を、端末識別情報のやり取りが可能な機器（本発明に対応した機器）とし、基地局１０２を、端末識別情報のやり取りが不可能な機器（従来の機器）として説明したが、端末装置１０１を、端末識別情報のやり取りが不可能な機器とし、基地局１０２を端末識別情報のやり取りが可能な機器とした処理の例が、図１５に示されている。
【０１８０】
図１５の例では、図１４とほぼ同様の処理が実行される。図１４では、端末装置１０１が端末識別情報のやり取りが可能であったので、所定の情報の一部に問い合わせ信号を埋め込んだり、所定の情報に埋め込まれた問い合わせ信号等を認識したりしていたが、図１５の例の場合、端末装置１０１は、端末識別情報のやり取りが不可能であるため、図１４の例の場合における基地局１０２と同様に、問い合わせ信号の生成や返答信号の認識ができない。また、図１４の例では、基地局１０２が端末識別情報のやり取りが不可能であったので、問い合わせ信号の認識や返答信号の生成が不可能であったが、図１５では、基地局１０２が端末識別情報のやり取りが可能であるので、問い合わせ信号の認識や返答信号を生成する（または読み出す）ことができる。
【０１８１】
このように、端末識別情報のやり取りが可能である機器は、データ通信前に、相手側の装置が、端末識別情報のやり取りが可能であるか否かを判断することができる。これにより、確実に通信を行うことができる。また、通信レートが下がるのを防ぐことができる。さらに、他の情報処理装置を識別することができる。
【０１８２】
また、既存仕様の登録作業に所望の端末識別情報の交換が含まれていない場合においても、本来のデータ通信のデータレートを下げることなく、未対応端末において不具合を発生させることなく、かつ、上位アプリケーションが個々に対応する必要もなく、対応端末との間において、確実に端末識別情報を交換することができる。
【０１８３】
さらに、通常の認証処理の要求や応答とともに、端末識別情報の交換（問い合わせ信号や返答信号の交換）を行うようにしたので、端末識別情報の交換の発行タイミングを明確化し、誤認識確率を低減することができる。
【０１８４】
また、データ通信の前の認証要求および認証通知、アソシエーション要求およびアソシエーション応答において、端末識別情報を交換する（相互認証を行なう）ため、本来の通信レートが下がるのを防ぐことができる。
【０１８５】
さらに、端末識別情報の交換に対応していない端末においても、データエラーや不具合を防ぐことが可能となる。
【０１８６】
なお、問い合わせ信号（に対応する初期値）と、それに対する返答信号（に対応する初期値）とは、システム次第で、値の変更は可能である。例えば、端末装置１０１の無線通信インターフェース２０２が埋め込む問い合わせ信号（例えば、図１０のステップＳ５０５の処理により格納されるる問い合わせ信号に対応する初期値）と、基地局１０２の無線通信インターフェース３０２が埋め込む返答信号（例えば、図１２のステップＳ５６７の処理により格納される返答信号に対応する初期値）とを、個々に定義するのは可能である。
【０１８７】
しかしながら、問い合わせ信号（に対応する初期値）と、それに対する返答信号（に対応する初期値）とを同一（初期値を同一）とすることで、処理を迅速に進めることができる。
【０１８８】
実際の動作では、制御信号Ａｃｋは短時間で返信されるため、受信した信号の内容に基づいて、上位アプリケーションが認証フェーズであるか否かを確認し、返信のための初期値を生成するまでの時間はほとんどない。そのため、返信側では、初期値が問い合わせ信号に対応しているか否かの確認のみを行い、その初期値をそのまま返信信号とすることにより、迅速に、制御信号Ａｃｋを送信することができる。
【０１８９】
また、以上の例では、送信する信号中の同期確立用データパターン（スクランブルに使用された初期値）と問い合わせ信号パターン（問い合わせ信号に対応する初期値）とが偶然一致した場合、または、返信する制御信号Ａｃｋの同期確立用データパターン（スクランブルに使用された初期値）と返答信号パターン（返答信号に対応する初期値）とが偶然一致した場合を考慮して、認証要求時とアソシエーション要求時の２回に渡って、確認（問い合わせ信号や返答信号の確認）を行うようにしたが、誤り認識を防ぐ為に確認手順の回数は、２回に限らず、それ以上であってもよいし、１回のみであってもよい。また、確認後の再確認要求等の発行手順に関し、連続固定パターンの発行、返信側で反転信号を送り返す等のプロトコルを別途定義するようにしてもよい。
【０１９０】
さらに、問い合わせ信号パターン、返答信号、および反転信号は、以下のように、簡易的に生成することも可能である。問い合わせ信号パターンは、同期確立用データパターンを変更することなくそのまま用い、返答信号は、問い合わせ信号パターン（いまの例の場合、同期確立用データパターン）と同一のものとし、反転信号は、返答信号を反転したものとする。これにより、あえてデータパターンを規定することなく、容易に、認識および確認を行うことができる。
【０１９１】
なお、本実施の形態では、誤認識確率を低減するために、端末識別情報の交換を行った例を示したが、この処理は必ずしもこのタイミングで行う必要はなく、データ通信内でも同様の処理を行うことができる。また、この一連の処理の中で、制御信号Ａｃｋが受信できないことによる再送、Ｎａｋ（Ｎｅｇａｔｉｖｅ  Ａｃｋｎｏｗｌｅｄｇｍｅｎｔ）を用いた再送等の無線通信自体を確立する為の手法にも適用することが可能である。
【０１９２】
なお、端末装置１０１と基地局１０２の間の通信だけでなく、このような構成を備えた全ての情報処理装置に適用することができる。
【０１９３】
次に、上述した自己同期型のスクランブラおよびデスクランブラの詳細を、図１６乃至図２０を参照して説明する。
【０１９４】
図１６は、図６のスクランブラ２２２（図８のスクランブラ３２２も同様の構成とされる）の構成例（第１の構成例）を示すブロック図である。
【０１９５】
図１６において、スクランブラ２２２には、シフトレジスタ５０１、シフトレジスタ５０２、ＥＸＯＲ回路（排他的論理回路）５０３、ＥＸＯＲ回路５０４、信号生成埋め込み部５０５、およびスイッチ５０６が設けられている。
【０１９６】
シフトレジスタ５０１は４ビットのシフトレジスタ、シフトレジスタ５０２は、シフトレジスタ５０１の出力部に入力部が接続される３ビットのシフトレジスタである。ＥＸＯＲ回路５０３は、シフトレジスタ５０１の出力データであるビットデータＸ４とシフトレジスタ５０２の出力データであるビットデータＸ７とを入力してＥＸＯＲ演算を実施する。ＥＸＯＲ回路５０４はＥＸＯＲ回路５０３の出力データとスクランブラに入力される送信データとを入力してＥＸＯＲ演算を実施する。
【０１９７】
信号生成埋め込み部５０５は、いまの例の場合、図６の信号生成埋め込み部２２３に対応している。信号生成埋め込み部５０５は、シフトレジスタ５０１およびシフトレジスタ５０２から成る７ビットのシフトレジスタへビットデータ（初期値）をパラレルに出力する複数のパラレル出力部、および別途にビットデータをシリアルに出力するシリアル出力部を有する。スイッチ５０６は、ＥＸＯＲ回路５０４からの出力データと信号生成埋め込み部５０５からの出力データとを入力していずれか一方を選択的にスクランブラ出力データとして出力する。
【０１９８】
ＥＸＯＲ回路５０３の出力データはシフトレジスタ５０１へも入力される。また、シフトレジスタ５０１、並びに、シフトレジスタ５０２およびＥＸＯＲ回路５０３により、所定の周期でランダムなビットデータ列を出力する乱数発生手段が構成される。なお、以下においては、スクランブラへ入力されるデータを「送信データ」と称し、スクランブラから出力されデスクランブラへ入力されるデータを「伝送データ」と称し、デスクランブラから出力されるデータを「受信データ」と称することで、これらデータを適宜識別するものとする。
【０１９９】
図１７は、図１６のスクランブラ（いまの例の場合、スクランブラ２２２）に対応するデスクランブラの構成例を示す図である。すなわち、図８のデスクランブラ３２７（または図６のデスクランブラ２２７）の詳細な構成例を示すブロック図である。
【０２００】
図１７のデスクランブラ３２７には、シフトレジスタ５１１、シフトレジスタ５１２、ＥＸＯＲ回路５１３、ＥＸＯＲ回路５１４、およびスイッチ５１５が設けられる。
【０２０１】
シフトレジスタ５１１は４ビットのシフトレジスタであり、シフトレジスタ５１２は３ビットのシフトレジスタである。ＥＸＯＲ回路５１３は、ビットデータＸ４とビットデータＸ７とを入力してＥＸＯＲ演算を実施し、ＥＸＯＲ回路５１４はＥＸＯＲ回路５１３からの出力データとデスクランブラへ入力される伝送データとを入力してＥＸＯＲ演算を実施する。スイッチ５１５は、ＥＸＯＲ回路５１３からの出力データとデスクランブラへ入力される伝送データとのいずれか一方を選択的にシフトレジスタ５１１へ出力する。
【０２０２】
なお、伝送データをデスクランブルすることなく取り出す為に、伝送データを別途取り出す配線路が設けられる。また、シフトレジスタ５１１、シフトレジスタ５１２およびＥＸＯＲ回路５１３から、所定の周期でランダムなビットデータ列を出力する。
【０２０３】
次に、動作について説明する。送信側（例えば、図９のステップＳ４３２で、認証要求を送信する端末装置１０１の無線通信インターフェース２０２）では、送信側のスクランブラ（いまの例の場合、スクランブラ２２２）と受信側（例えば、図９のステップＳ４５１で認証要求を受信する基地局１０２の無線通信インターフェース３０２）のデスクランブラ（いまの例の場合、デスクランブラ３２７）との同期をとるために、７ビット連続する“０”から成るデータすなわち“Ｓｃｒａｍｂｌｅｒ  Ｉｎｉｔｉａｌｉｚａｔｉｏｎ”がスクランブラへ入力される場合、スイッチ５０６が切り換えられ、信号生成埋め込み部５０５からの出力データが、図中、左側に切り換えられて、スクランブラ出力データとして出力される。これにより、同期確立用の７ビットの送信データがスクランブラへ入力される間においては、信号生成埋め込み部５０５からの出力データが同期確立用の伝送データとして伝送される。すなわち、本実施の形態においては、問い合わせ信号に対応する初期値や返答信号に対応する初期値が、「Ｓｃｒａｍｂｌｅｒ  Ｉｎｉｔｉａｌｉｚａｔｉｏｎ」のフィールドに格納される。
【０２０４】
また、同期確立用の７ビットのデータ入力が完了した後に、信号生成埋め込み部５０５からスイッチ５０６を介して伝送された７ビットのビットデータ列と同一のビットデータ列がシフトレジスタ５０１およびシフトレジスタ５０２へパラレルに出力されて、初期値として記憶される。この際、スイッチ５０６を介して時系列に出力されたそれぞれのビットデータが順にビットデータＸ７乃至ビットデータＸ１となるようにビットデータ列が出力される。
【０２０５】
次に、ＥＸＯＲ回路５０４からの出力データがスクランブラ出力データとして出力されるようにスイッチ５０６が、図中、右側に切り換えられる。このように、スイッチ５０６が動作することにより、同期確立用の送信データの後にスクランブラへ入力される送信データについては、当該データに対してスクランブル処理を実施することで得られたデータが送信側から伝送される。
【０２０６】
受信側（いまの例の場合、図８の基地局１０２の無線通信インターフェース３０２）では、同期確立用の７ビットの伝送データがデスクランブラへ入力される間において、伝送データがシフトレジスタ５１１へ入力されるようにスイッチ５１５が、図中、上側に切り換えられる。この際、シフトレジスタ５１１およびシフトレジスタ５１２から成る７ビットのシフトレジスタへ、同期確立用の７ビットの伝送データが逐次的に入力される。これにより、７ビット目の同期確立用のビットデータがシフトレジスタ５１１へ入力された時点で、スクランブラ内の７ビットのシフトレジスタに記憶されるビットデータ列と、デスクランブラ内の７ビットのシフトレジスタに記憶されるビットデータ列とが等しくなり、同期がとられる。すなわち、本実施の形態では、「Ｓｃｒａｍｂｌｅｒ  Ｉｎｉｔｉａｌｉｚａｔｉｏｎ」のフィールドに格納されていた初期値が、同期確立用の７ビットの伝送データとされ、後段の信号確認信号認識部３２７に出力される。
【０２０７】
次に、ＥＸＯＲ回路５１３から出力されるデータがシフトレジスタ５１１へ入力されるようにスイッチ５１５が、図中、下側に切り換えられる。同期がとられた後は、スクランブラおよびデスクランブラにおいて、それぞれ対応する送信データおよび伝送データに対して同一のスクランブルパターンが作用するので、スクランブル／デスクランブル方式を用いたデータ伝送が実施される。
【０２０８】
また、同期確立用の７ビットの伝送データについては、スイッチ５１５を介してシフトレジスタ５１１に出力されるだけでなく、別途設けられた信号線を介して伝送データが取り出される。したがって、スクランブラ内の信号生成埋め込み部５０５から出力された同期確立用の伝送データを受信側において取り出すことができるので、受信側の無線通信インターフェースは、伝送特性等に係る情報を得ることが可能となる。同期確立用の伝送データとしては、７ビット全てが“０”となるデータ以外の任意のデータを用いることが可能であるから、信号生成埋め込み部５０５から出力されるデータを同期確立以外の用途に容易に使用することができる。
【０２０９】
以上のように、第１の構成例（図１６のスクランブラ）によれば、シフトレジスタ５０１およびシフトレジスタ５０２から成る７ビットのシフトレジスタ、ＥＸＯＲ回路５０３、ＥＸＯＲ回路５０４、シフトレジスタにデータロード可能であるとともに別途シフトレジスタにロードしたビットデータ列と同一のビットデータ列を出力可能に構成された信号生成埋め込み部５０５、並びに、ＥＸＯＲ回路５０４の出力データと信号生成埋め込み部５０５の出力データとのいずれか一方を選択的にスクランブラ出力データとして出力するスイッチ５０６を設けるようにしたので、同期確立用の送信データがスクランブラに入力される間において、信号生成埋め込み部５０５からの出力データ（例えば、問い合わせ信号に対応する初期値）がスクランブラ出力データとして出力されるようにスイッチ５０６が切り換えられ、信号生成埋め込み部５０５から出力されるデータが同期確立用の伝送データとして伝送され、同期確立用のデータが同期確立以外の用途に用いられることが可能となって、例えばＩＥＥＥ８０２．１１に準拠するような汎用的な通信システムにおいて伝送されるデータの有効利用を実現することができる。
【０２１０】
また、受信側のデスクランブラ（いまの例の場合、基地局１０２の無線通信インターフェース３０２のデスクランブラ３２７）においては、同期確立用の伝送データを取り出すとともに、伝送特性等に係る情報を示すビットデータ列が同期確立用の伝送データに含まれていれば、これを解釈して情報を得るように構成したので、同期確立用のデータを同期確立以外の用途に用いることが可能となって、例えばＩＥＥＥ８０２．１１に準拠するような汎用的な通信システムにおいて伝送されるデータの有効利用を実現することができる。
【０２１１】
なお、第１の構成例（図１６のスクランブラ）においては、同期確立用に７ビット連続する“０”がスクランブラへ入力される間において信号生成埋め込み部５０５からの出力データをスクランブラ出力データとして出力するように制御したが、送信側のスクランブラと受信側のデスクランブラとに同一のビットデータ列を記憶させてスクランブル／デスクランブルを開始する前の期間においても信号生成埋め込み部５０５からの出力データを伝送するように制御することも可能である。
【０２１２】
また、同期用の基準値をフレーム内の所定の位置にもつ自己同期型のスクランブラおよびデスクランブラであれば、初期値に任意の値を入れることができるので、例えば、ヘッダの所定の位置に初期値を格納するようなフォーマットを利用している自己同期型のスクランブラにおいても適用することができる。
【０２１３】
さらに、ＰＮ系列を用いたスクランブラおよびデスクランブラであるので、他のフォーマットにも適用することができる。
【０２１４】
さらに、第１の構成例においては、２個のシフトレジスタ５０１およびシフトレジスタ５０２と１個のＥＸＯＲ回路５０３とを用いてＰＮ系列を発生する回路を構成しているが、所定の周期でランダムなビットデータ列を出力する機能を奏する他の種々の形態の回路構成を採ることが可能である。
【０２１５】
図１８は、第１の構成例によるスクランブラの変形例の構成を示す図である。図１８において、図１６と同一符号は、同一または相当する要素を示すので、その説明は省略する。信号生成埋め込み部５２１は、ビットデータをシリアルに出力するシリアル出力部を有し、スイッチ５２２は、ＥＸＯＲ回路５０３からの出力データと信号生成埋め込み部５２１からの出力データとのいずれか一方を入力して選択的にシフトレジスタ５０１へ出力するスイッチである。
【０２１６】
次に、図１８のスクランブラの動作について説明する。送信側では、スクランブラとデスクランブラとを初期化するための“Ｓｃｒａｍｂｌｅｒ  Ｉｎｉｔｉａｌｉｚａｔｉｏｎ”がスクランブラへ入力される間においては、スイッチ５０６およびスイッチ５２２が切り換えられ、信号生成埋め込み部５２１からの出力データが、図中、左側に切り換えられたスイッチ５０６を介してスクランブラ出力データとして出力されるとともに、図中、下側に切り換えられたスイッチ５２２を介してシフトレジスタ５０１へ出力される。これにより、信号生成埋め込み部５２１からの出力データが逐次的にシフトレジスタ５０１へ入力されるとともに、送信側（いまの例の場合、端末装置１０１の無線通信インターフェース２０２）から伝送される。次に、スイッチ５０６が、図中、右側に切り換えられ、ＥＸＯＲ回路５０４からの出力データが、スクランブラ出力データとして出力されるとともに、スイッチ５２２が、図中、上側に切り換えられ、ＥＸＯＲ回路５０３からの出力データがシフトレジスタ５０１へ出力される。
【０２１７】
これにより、“Ｓｃｒａｍｂｌｅｒ  Ｉｎｉｔｉａｌｉｚａｔｉｏｎ”の後にスクランブラへ入力されるデータについては、当該データに対してスクランブル処理することで得られたデータが送信側から伝送される。なお、受信側の動作については、上記の第１の構成例のデスクランブラ（図１７）と同様であるのでその説明を省略する。
【０２１８】
図１８（図１６の第１の構成例のスクランブラの変形例）に係るスクランブラを用いることで、第１の構成例と同等の効果を奏するとともに、信号生成埋め込み部５２１からのシリアル出力データと、ＥＸＯＲ回路５０３からの出力データとを入力して、いずれか一方をシフトレジスタ５０１へ選択的に出力するスイッチ５２２を備えるように構成したので、信号生成埋め込み部５２１にはビットデータをシリアルに出力する出力部を１つ設ければよく、簡易な構成を有する信号生成埋め込み部を用いることでスクランブラ全体の回路構成を簡略化することができるという効果を奏する。
【０２１９】
図１９は、本発明を適用したスクランブラの第２の構成例を示す図である。図１９において、図１６と同一符号は、同一または相当する要素を示すので、その説明は省略する。信号生成埋め込み部５３１は、シフトレジスタ５０１およびシフトレジスタ５０２から成る７ビットのシフトレジスタに対して、初期値としてのビットデータをパラレルに出力する複数のパラレル出力部を有する。なお、図１９に示されるスクランブラは、図１６に示されるスクランブラと比較すると、信号生成埋め込み部５３１からの出力データをスクランブラ出力データとして出力するためのスイッチ５０６が省略されている。また、デスクランブラについては、第１の構成例のデスクランブラ（図１７）と同じものを使用するので、その説明を省略する。
【０２２０】
次に、動作について説明する。送信側（例えば、図９のステップＳ４３２の処理を実行する端末装置１０１の無線通信インターフェース２０２）では、スクランブラとデスクランブラとを初期化するための“Ｓｃｒａｍｂｌｅｒ  Ｉｎｉｔｉａｌｉｚａｔｉｏｎ”がスクランブラへ入力される前に、信号生成埋め込み部５３１からシフトレジスタ５０１およびシフトレジスタ５０２へビットデータ列がパラレルに出力され、当該ビットデータ列がシフトレジスタ５０１およびシフトレジスタ５０２に初期データとして記憶される。“Ｓｃｒａｍｂｌｅｒ  Ｉｎｉｔｉａｌｉｚａｔｉｏｎ”がスクランブラへ入力される間においては、ＥＸＯＲ回路５０４は、送信データとして与えられる“０”とＥＸＯＲ回路５０３の出力データとのＥＸＯＲ演算を実施して、演算データを逐次的に出力する。ＥＸＯＲ演算の対象となる一方のビットデータが“０”であることで、この演算データはＥＸＯＲ回路５０３からの出力データに等しくなる。このようにして、問い合わせ信号や返答信号に対応する所望の初期値が「Ｓｃｒａｍｂｌｅｒ  Ｉｎｉｔｉａｌｉｚａｔｉｏｎ」のフィールドに埋め込まれる。
【０２２１】
この第２の構成例のスクランブラ（図１９のスクランブラ、いまの例の場合、図６の無線通信インターフェース２０２のスクランブラ２２２）は上述したように動作するので、例えば参照テーブルを用いて、７ビットの伝送データが所望のビットデータ列（例えば、問い合わせ信号）となるように初期データを設定することで、スクランブラから出力される同期確立用の伝送データを同期確立以外の用途に使用することが可能となる。なお、受信側のデスクランブラの動作については第１の構成例（図１７）と同様であるので、その説明を省略する。
【０２２２】
以上のように、第２の構成例によれば、シフトレジスタ５０１およびシフトレジスタ５０２から成る７ビットのシフトレジスタ、ＥＸＯＲ回路５０３、ＥＸＯＲ回路５０４、並びに、シフトレジスタにデータロード可能に構成された信号生成埋め込み部５３１を設けるようにしたので、同期確立用の送信データがスクランブラへ入力される前に、信号生成埋め込み部５３１からビットデータ列が出力され、当該ビットデータ列がシフトレジスタ５０１およびシフトレジスタ５０２に記憶され、ＥＸＯＲ回路５０３から出力される７ビットのデータが所望の伝送データとなるように信号生成埋め込み部５３１からシフトレジスタ５０１およびシフトレジスタ５０２へ出力される初期データが適宜設定される。すなわち、同期確立用の伝送データを同期確立以外の用途に用いることが可能となり、例えばＩＥＥＥ８０２．１１に準拠するような汎用的な通信システムにおいて、伝送されるデータの有効利用を実現することができる。なお、第１の構成例と同様に、ＰＮ系列を発生する回路については、種々の形態をとることができる。
【０２２３】
図２０は、この本発明を適用したスクランブラの第３の構成例を示す図である。図２０において、図１６と同一符号は、同一または相当する要素を示すのでその説明は省略する。信号生成埋め込み部５４１は、ビットデータをシリアルに出力するシリアル出力部を有し、スイッチ５４２は、ＥＸＯＲ回路５０３からの出力データと信号生成埋め込み部５４１からの出力データとを入力して、いずれか一方を選択的にシフトレジスタ５０１およびＥＸＯＲ回路５０４へ出力する。なお、デスクランブラについては、第１の構成例によるデスクランブラと同じものを使用するので、その説明は省略する。
【０２２４】
次に、動作について説明する。送信側では、スクランブラとデスクランブラとの同期をとるための“Ｓｃｒａｍｂｌｅｒ  Ｉｎｉｔｉａｌｉｚａｔｉｏｎ”がスクランブラへ入力される間において、スイッチ５４２が、図中、下側に切り換えられ、信号生成埋め込み部５４１からの出力データがシフトレジスタ５０１およびＥＸＯＲ回路５０４へ出力される。これにより、信号生成埋め込み部５４１から出力されるビットデータ列がシフトレジスタ５０１およびシフトレジスタ５０２から成る７ビットのシフトレジスタへ入力されるとともに、上述したようにビットデータＸと“０”とのＥＸＯＲ演算値はビットデータＸとなることに基づいて、当該ビットデータ列がスクランブラから伝送されて受信側の７ビットのシフトレジスタへ入力される。
【０２２５】
以上のように、第３の構成例によれば、スクランブラに、シフトレジスタ５０１およびシフトレジスタ５０２から成る７ビットのシフトレジスタ、ＥＸＯＲ回路５０３、ＥＸＯＲ回路５０４、ビットデータをシリアルに出力する信号生成埋め込み部５４１、並びに、ＥＸＯＲ回路５０３からの出力データおよび信号生成埋め込み部４１からの出力データとを切り換えるスイッチ５４２を設けるようにしたので、同期確立用の送信データがスクランブラへ入力される間において、信号生成埋め込み部５４１からの出力データがシフトレジスタ５０１およびＥＸＯＲ回路５０４へ入力されるようにスイッチ５４２が、図中、下側に切り換えられ、信号生成埋め込み部５４１からの出力データが同期確立用の伝送データとして伝送される。これにより、同期確立用のデータを同期確立以外の用途に用いることが可能となって、例えばＩＥＥＥ８０２．１１に準拠するような汎用的な通信システムにおいて伝送されるデータの有効利用を実現することができる。なお、第１の構成例と同様に、ＰＮ系列を発生する回路については、種々の形態をとることができる。
【０２２６】
なお、図１６乃至図２０に示される、第１の構成例乃至第３の構成例のスクランブラおよびデスクランブラは、本願発明を限定するものではなく、例示することを意図して開示されているものである。本願発明の技術的範囲は特許請求の範囲により定められるものであり、特許請求の範囲に記載された技術的範囲において種々の設計的変更が可能である。
【０２２７】
また、以上においては、相手側の確認のために使用するデータを初期値としたが、初期値以外の所定の基準値を用いるようにしてもよい。
【０２２８】
なお、本明細書において、各フローチャートを記述するステップは、記載された順序に従って時系列的に行われる処理はもちろん、必ずしも時系列的に処理されなくとも、並列的あるいは個別に実行される処理をも含むものである。
【０２２９】
なお、本明細書において、システムとは、複数の装置により構成される装置全体を表すものである。
【０２３０】
【発明の効果】
以上の如く、第１の本発明によれば、２つの装置において、容易に、かつ、確実に端末識別情報を交換することができる。特に、通信レートが下がるのを防ぐことができる。
【０２３１】
第２の本発明によれば、容易に、かつ、確実に端末識別情報を交換することができる。特に、他の情報処理装置に自分自身を識別させるとともに、他の情報処理装置を識別することができる。
【０２３２】
第３の本発明によれば、容易に、かつ、確実に端末識別情報を交換することができる。特に、他の情報処理装置を識別することができる。
【図面の簡単な説明】
【図１】従来の端末装置と基地局の間の登録手順を説明する図である。
【図２】従来の端末装置と基地局の間の特定端末の問い合わせ手順をの例を説明する図である。
【図３】従来の端末装置と基地局の間の特定端末の問い合わせ手順の他の例を説明する図である。
【図４】従来の端末装置と基地局の間の特定端末の問い合わせ手順のさらに他の例を説明する図である。
【図５】本発明を適用した通信システムの全体の構成例を示す図である。
【図６】図５の端末装置の詳細な構成例を示すブロック図である。
【図７】フレームの構成例を説明する図である。
【図８】図５の基地局の詳細な構成例を示すブロック図である。
【図９】端末装置と基地局の間の特定端末の問い合わせ手順を説明する図である。
【図１０】無線通信インターフェースにおける問い合わせ信号埋め込み処理を説明するフローチャートである。
【図１１】無線通信インターフェースにおけるＡｃｋ送信処理を説明するフローチャートである。
【図１２】無線通信インターフェースにおけるＡｃｋ送信処理を説明するフローチャートである。
【図１３】無線通信インターフェースにおける返答信号認識処理を説明するフローチャートである。
【図１４】端末装置が端末識別情報のやり取りが不可能であり、基地局が端末識別情報のやり取りが可能である場合の、特定端末の問い合わせ手順を説明する図である。
【図１５】端末装置が端末識別情報のやり取りが可能であり、基地局が端末識別情報のやり取りが不可能である場合の、特定端末の問い合わせ手順を説明する図である。
【図１６】本発明を適用したスクランブラの構成を示す図である。
【図１７】本発明を適用したデスクランブラの構成を示す図である。
【図１８】図１６のスクランブラの変形例の構成を示す図である。
【図１９】本発明を適用したさらに他のスクランブラの構成を示す図である。
【図２０】本発明を適用したさらに他のスクランブラの構成を示す図である。
【符号の説明】
１０１  端末装置，  １０２  基地局，  ２０２  無線通信インターフェース，  ２０３  Ａｃｋ生成部，  ２２２  スクランブラ，  ２２３  信号生成埋め込み部，  ２２５  信号確認信号認識部，  ２２７  デスクランブラ，  ３０２  無線通信インターフェース，  ３０３  Ａｃｋ生成部，  ３２２  スクランブラ，３２３  信号生成埋め込み部，  ３２５  信号確認信号認識部，  ３２７  デスクランブラ
【図１】
2004363676.tif 000003
【図２】
2004363676.tif 000004
【図３】
2004363676.tif 000005
【図４】
2004363676.tif 000006
【図５】
2004363676.tif 000007
【図６】
2004363676.tif 000008
【図７】
2004363676.tif 000009
【図８】
2004363676.tif 000010
【図９】
2004363676.tif 000011
【図１０】
2004363676.tif 000012
【図１１】
2004363676.tif 000013
【図１２】
2004363676.tif 000014
【図１３】
2004363676.tif 000015
【図１４】
2004363676.tif 000016
【図１５】
2004363676.tif 000017
【図１６】
2004363676.tif 000018
【図１７】
2004363676.tif 000019
【図１８】
2004363676.tif 000020
【図１９】
2004363676.tif 000021
【図２０】
2004363676.tif 000022